(57)【要約】【課題】表示画面の少なくとも一部を占める領域における映像の表示位置と、当該映像に対応した音声の出力位置との定位を、コストを抑えながら実現する。【解決手段】本発明に係るテレビジョン装置１は、映像および当該映像に対応する音声を含むコンテンツを再生するテレビジョン装置１であって、表示装置２と、表示装置２における表示画面の少なくともいずれかの辺に沿って一列に配置されるスピーカ群８と、表示画面のうち少なくとも一部を占める表示領域に、映像を表示する映像制御部３と、スピーカ群８のうち、映像の表示領域の位置および大きさの少なくともいずれかに応じた位置のものを通じて、音声を出力するスピーカ切換器７とを備えている。【選択図】図１
2010041579.tif 000002
【特許請求の範囲】
【請求項１】
映像および当該映像に対応する音声を含むコンテンツを再生するコンテンツ再生装置であって、
表示装置と、
上記表示装置における表示画面の少なくともいずれかの辺に沿って一列に配置される複数のスピーカと、
上記表示画面のうち少なくとも一部を占める表示領域に、上記映像を表示する表示手段と、
上記複数のスピーカのうち、上記表示領域の位置および大きさの少なくともいずれかに応じた位置のものを通じて、上記音声を出力する音声出力手段を備えていることを特徴とするコンテンツ再生装置。
【請求項２】
上記複数のスピーカは、上記表示画面の横方向に一列に配置されていることを特徴とする請求項１に記載のコンテンツ再生装置。
【請求項３】
上記音声出力手段は、上記音声のチャンネル数に応じた上記スピーカを通じて上記音声を出力することを特徴とする請求項１または２に記載のコンテンツ再生装置。
【請求項４】
上記音声出力手段は、上記チャンネル数が一つである場合、上記表示領域の略中央に対応する位置の上記スピーカを通じて上記音声を出力することを特徴とする請求項３に記載のコンテンツ再生装置。
【請求項５】
上記音声出力手段は、上記チャンネル数が二つである場合、上記表示領域の右端に応じた位置のスピーカ、および上記表示領域の左端に応じた位置のスピーカを通じて上記音声を出力することを特徴とする請求項３に記載のコンテンツ再生装置。
【請求項６】
上記音声出力手段は、上記チャンネル数が二つであり、かつ、上記表示領域に対応する上記スピーカが一つである場合、両チャンネルの音声を合成し、当該一つのスピーカを通じて出力することを特徴とする請求項３に記載のコンテンツ再生装置。
【請求項７】
上記スピーカを少なくとも三つ備え、
上記音声出力手段は、上記チャンネル数が三つである場合、上記表示領域の右端に応じた位置のスピーカ、上記表示領域の中央に応じた位置のスピーカ、および上記表示領域の左端に応じた位置のスピーカを通じて上記音声を出力することを特徴とする請求項３に記載のコンテンツ再生装置。
【請求項８】
上記音声出力手段は、上記表示領域の右端に接する上下方向の直線に最も近いスピーカを通じて、一方のチャンネルの音声を出力すると共に、上記左端に接する上下方向の直線に最も近いスピーカから、他方のチャンネルの音声を出力することを特徴とする請求項１または２に記載のコンテンツ再生装置。
【請求項９】
上記音声出力手段は、上記表示領域の右端に接する上下方向の直線と、上記表示領域の左端に接する上下方向の直線との間にある複数の上記スピーカのうち、上記右端に接する上下方向の直線に最も近いスピーカから、一方のチャンネルの音声を出力すると共に、上記左端に接する上下方向の直線に最も近いスピーカから、他方のチャンネルの音声を出力することを特徴とする請求項１または２に記載のコンテンツ再生装置。
【請求項１０】
上記音声出力手段は、
上記表示領域の右端に接する上下方向の直線を境に上記表示領域の外部にあるスピーカのうち、上記右端に接する上下方向の直線に最も近いスピーカから、一方のチャンネルの音声を出力すると共に、
上記左端に接する上下方向の直線を境に上記表示領域の外側にあるスピーカのうち、上記左端に接する上下方向の直線に最も近いスピーカから、他方のチャンネルの音声を出力することを特徴とする請求項１または２に記載のコンテンツ再生装置。
【請求項１１】
上記音声出力手段は、上記音声の音量に応じた数の上記スピーカを通じて上記音声を出力することを特徴とする請求項１〜１０のいずれかに記載のコンテンツ再生装置。
【請求項１２】
上記音声出力手段は、所望の音声出力目標位置の両隣にあるスピーカから、上記音声を出力することを特徴とする請求項１〜１１のいずれかに記載のコンテンツ再生装置。
【請求項１３】
上記音声出力手段は、上記音声出力目標位置の両隣にあるスピーカのうち、当該目標位置により近いスピーカから、より大きい音量の音声を出力することを特徴とする請求項１２に記載のコンテンツ再生装置。
【請求項１４】
上記複数のスピーカは、上記表示画面における上側および下側の両方において、当該表示画面の横方向に一列に配置されていることを特徴とする請求項１〜１３に記載のコンテンツ再生装置。
【請求項１５】
上記表示画面の上側にあるスピーカと下側にあるスピーカとのうち、上記表示領域により近い方のスピーカから、より大きい音量の上記音声を出力することを特徴とする請求項１４に記載のコンテンツ再生装置。
【請求項１６】
表示装置と、上記表示装置における表示画面の少なくともいずれかの辺に沿って一列に配置される複数のスピーカを備え、映像および当該映像に対応する音声を含むコンテンツを再生するコンテンツ再生装置が実行するコンテンツ再生方法であって、
上記表示画面のうち少なくとも一部を占める表示領域に、上記映像を表示する表示ステップと、
上記複数のスピーカのうち、上記表示領域の位置および大きさの少なくともいずれかに応じた位置のものを通じて、上記音声を出力する音声出力ステップを備えていることを特徴とするコンテンツ再生方法。
【請求項１７】
請求項１から１５項のいずれか１項に記載のコンテンツ再生装置を動作させるプログラムであって、コンピュータを上記の各手段として機能させるためのプログラム。
【請求項１８】
請求項１７に記載のプログラムを記録しているコンピュータ読み取り可能な記録媒体。
【発明の詳細な説明】
【技術分野】
【０００１】
本発明は、映像と当該映像に対応する音声とを含むコンテンツを再生するコンテンツ再生装置、コンテンツ再生方法、プログラムおよび記録媒体に関する。
【背景技術】
【０００２】
技術の進展に伴い、表示装置の画面の大型化および高精細化が進んでいる。最近では１０８インチの画面を有した表示装置や４０９６画素×２１６０画素の高精細画面の開発に成功したことが発表されるほどである。かかる状況を踏まえ、従来、通常の画面（全画面）に加え、少なくとも１つのサブ画面を表示できる表示装置（多画面表示装置）が開発されている。
【０００３】
多画面表示装置は、複数の異なる映像をＰｉｎＰ（Picture in Picture）処理またはＰＯＰ（Picture on Picture）処理によって重ね合わせて同時に表示する。視聴者は、表示された多画面を見ることによって、複数の異なる映像を同時に見ることができる。または、一部の映像のみを選んで見ることもできる。
【０００４】
映像の表示は通常、音声の出力を伴う。多画面表示装置では一つの表示装置に複数の異なる映像を表示するが、音声はそのうち１つの映像に対する音声、もしくはそれぞれの映像に応じたそれぞれの音声を出力することになる。サブ画面の映像に対して音声を出力する場合、サブ画面の位置や大きさによらず一定の位置から音声が聞こえるのは不自然で臨場感を損なってしまう。また、もし複数の映像を同時に表示しつつ、それぞれの音声を同時に出力させた場合、いったいどの音声がどの映像のものなのか、視聴者には判別しがたくなる虞がある。
【０００５】
そこで従来、画面の映像と音声とを対応付ける技術（音声定位技術）が開発されている（特許文献１および２を参照）。特許文献１および２の技術は、いずれも、複数のスピーカの各音量を表示画面の位置やサイズに応じて調整することによって、音声を映像に定位させる。このとき各スピーカの全てから音声を出力する。
【０００６】
また従来、表示装置の大画面化に対応すべく、複数のスピーカを多数並べたスピーカ装置も開発されている（特許文献３〜５を参照）。
【特許文献１】特開２０００−６９３９１号公報（公開日：２０００年３月３日）
【特許文献２】特開２００５−１１０１０３号公報（公開日：２００５年４月２１日）
【特許文献３】特開平１１−１３６７８８（公開日：１９９９年５月２１日）
【特許文献４】特開平１１−２１５５８６（公開日：１９９９年８月６日）
【特許文献５】特開２００１−１２８２７９（公開日：２００１年５月１１日）
【発明の開示】
【発明が解決しようとする課題】
【０００７】
しかし、上述した従来技術では定位の効果が不十分である。たとえば特許文献１および２の技術では音量のバランスによって音声定位を行っているため、視聴位置によって音声定位が変わってしまうという課題があり、画面が大型化するとそれが顕著になってしまう。
【０００８】
また、特許文献３〜５の各マルチスピーカを特許文献１および２の技術に組み合わせ、スピーカの数を増やしてバランスを調整しやすくする技術も考えられるが、この場合、各スピーカに個別に増幅器が必要となるので、大画面化に伴いコストアップが顕著になるという問題が生ずる。
【０００９】
本発明は、上記の問題点に鑑みてなされたものであり、その目的は、表示画面の少なくとも一部を占める領域における映像の表示位置と、当該映像に対応した音声の出力位置との定位を、視聴位置によらず、コストを抑えながら実現するコンテンツ再生装置、コンテンツ再生方法、プログラムおよび記録媒体を提供することにある。
【課題を解決するための手段】
【００１０】
（コンテンツ再生装置）
本発明に係るコンテンツ再生装置は、上記の課題を解決するために、
映像および当該映像に対応する音声を含むコンテンツを再生するコンテンツ再生装置であって、
表示装置と、
上記表示装置における表示画面の少なくともいずれかの辺に沿って一列に配置される複数のスピーカと、
上記表示画面のうち少なくとも一部を占める表示領域に、上記映像を表示する表示手段と、
上記複数のスピーカのうち、上記表示領域の位置および大きさの少なくともいずれかに応じた位置のものを通じて、上記音声を出力する音声出力手段を備えていることを特徴としている。
【００１１】
上記の構成によれば、コンテンツ再生装置は、映像および当該映像に対応する音声を含むコンテンツ（たとえばテレビ番組）を再生する。このとき映像を表示装置に出力すると共に、映像に対応する音声をスピーカを通じて出力する。表示装置の表示画面は大きなものであり、コンテンツ再生装置は、表示画面の少なくとも一部の表示領域に映像を表示する。
【００１２】
コンテンツ再生装置は、複数のスピーカを備えている。各スピーカは、表示装置における表示画面の少なくともいずれかの辺に沿って一列に配置されている。たとえば、横方向に一列に配置することも可能であり、縦方向も同様である。これらスピーカは望ましくは等間隔で配置され、かつ、表示画面の端から端までをカバーするだけの数のものがあるのがよい。
【００１３】
コンテンツ再生装置は、複数のスピーカのうち、映像を表示する表示領域の位置および大きさに応じた位置のものを用いて、映像に対応する音声を出力する。これにより、表示領域が表示画面のどこにあっても、また、表示画面が非常に大きなものであっても、表示領域の映像に対応する音声を、当該表示領域に確実に定位させられる。したがって、音声の臨場感を損なうことが無い。
【００１４】
また、表示領域の位置に応じて、音声出力用のスピーカを適宜切り替えれば良いので、スピーカごとに音声信号の増幅器を用意する必要がない。結果、装置構成の簡素化およびコストダウンを実現できる。
【００１５】
（コンテンツ再生方法）
本発明に係るコンテンツ再生方法は、上記の課題を解決するために、
表示装置と、上記表示装置における表示画面の少なくともいずれかの辺に沿って一列に配置される複数のスピーカを備え、映像および当該映像に対応する音声を含むコンテンツを再生するコンテンツ再生装置が実行するコンテンツ再生方法であって、
上記表示画面のうち少なくとも一部を占める表示領域に、上記映像を表示する表示ステップと、
上記複数のスピーカのうち、上記表示領域の位置および大きさの少なくともいずれかに応じた位置のものを通じて、上記音声を出力する音声出力ステップを備えていることを特徴としている。
【００１６】
上記の構成によれば、本発明に係るコンテンツ再生装置と同様の作用効果を再生する。
【００１７】
（スピーカの配置方向）
また、本発明に係るコンテンツ再生装置では、さらに、
上記複数のスピーカは、上記表示画面の横方向に一列に配置されていることが好ましい。
【００１８】
上記の構成によれば、コンテンツ再生装置は、映像に応じた音声を、表示領域の横方向に偏らせることなく定位させられる。
【００１９】
（チャンネル数に応じたスピーカ）
また、本発明に係るコンテンツ再生装置では、さらに、
上記音声出力手段は、上記音声のチャンネル数に応じた上記スピーカを通じて上記音声を出力することが好ましい。
【００２０】
上記の構成によれば、映像に応じたステレオ音声またはモノラル音声を、当該映像を表示するための表示領域に定位させられる。
【００２１】
（モノラル音声の出力）
また、本発明に係るコンテンツ再生装置では、さらに、
上記音声出力手段は、上記チャンネル数が一つである場合、上記表示領域の略中央に対応する位置の上記スピーカを通じて上記音声を出力することが好ましい。
【００２２】
上記の構成によれば、コンテンツ再生装置は、映像に応じたモノラル音声を、当該映像を表示する表示領域に定位させられる。
【００２３】
（ステレオ音声の出力）
また、本発明に係るコンテンツ再生装置では、さらに、
上記音声出力手段は、上記チャンネル数が二つである場合、上記表示領域の右端に応じた位置のスピーカ、および上記表示領域の左端に応じた位置のスピーカを通じて上記音声を出力することが好ましい。
【００２４】
上記の構成によれば、コンテンツ再生装置は、映像に応じたステレオ音声を、当該映像を表示する表示領域に定位させられる。
【００２５】
（ステレオ音声の合成）
また、本発明に係るコンテンツ再生装置では、さらに、
上記音声出力手段は、上記チャンネル数が二つであり、かつ、上記表示領域に対応する上記スピーカが一つである場合、両チャンネルの音声を合成し、当該一つのスピーカを通じて出力することが好ましい。
【００２６】
上記の構成によれば、コンテンツ再生装置は、映像に応じたステレオ音声を出力するのに十分な数のスピーカが、当該映像を表示する表示領域に対応していなくても、当該ステレオ音声を合成したモノラル音声を、当該表示領域に定位させられる。
【００２７】
（３チャンネル音声の出力）
また、本発明に係るコンテンツ再生装置では、さらに、
上記スピーカを少なくとも三つ備え、
上記音声出力手段は、上記チャンネル数が三つである場合、上記表示領域の右端に応じた位置のスピーカ、上記表示領域の中央に応じた位置のスピーカ、および上記表示領域の左端に応じた位置のスピーカを通じて上記音声を出力することが好ましい。
【００２８】
上記の構成によれば、コンテンツ再生装置は、映像に応じた３チャンネルのステレオ音声を、当該映像を表示する表示領域に定位させられる。
【００２９】
（スピーカの選択）
また、本発明に係るコンテンツ再生装置では、さらに、
上記音声出力手段は、上記表示領域の右端に接する上下方向の直線に最も近いスピーカを通じて、一方のチャンネルの音声を出力すると共に、上記左端に接する上下方向の直線に最も近いスピーカから、他方のチャンネルの音声を出力することが好ましい。
【００３０】
上記の構成によれば、映像と音声とが一致する視聴位置の広がりを向上させつつ、音声の左右の広がり感も向上させられる。
【００３１】
（サイドスピーカライク）
また、本発明に係るコンテンツ再生装置では、さらに、
上記音声出力手段は、上記表示領域の右端に接する上下方向の直線と、上記表示領域の左端に接する上下方向の直線との間にある複数の上記スピーカのうち、上記右端に接する上下方向の直線に最も近いスピーカから、一方のチャンネルの音声を出力すると共に、上記左端に接する上下方向の直線に最も近いスピーカから、他方のチャンネルの音声を出力することが好ましい。
【００３２】
上記の構成によれば、音声を表示領域に定位させつつ、音の左右の広がり感を向上させられる。
【００３３】
（ボトムスピーカライク）
また、本発明に係るコンテンツ再生装置では、さらに、
上記音声出力手段は、
上記表示領域の右端に接する上下方向の直線を境に上記表示領域の外部にあるスピーカのうち、上記右端に接する上下方向の直線に最も近いスピーカから、一方のチャンネルの音声を出力すると共に、
上記左端に接する上下方向の直線を境に上記表示領域の外側にあるスピーカのうち、上記左端に接する上下方向の直線に最も近いスピーカから、他方のチャンネルの音声を出力することが好ましい。
【００３４】
上記の構成によれば、映像の表示位置と音声の出力位置とが一致する視聴位置の範囲を、より広げられる。
【００３５】
（音量に応じたスピーカの選択）
また、本発明に係るコンテンツ再生装置では、さらに、
上記音声出力手段は、上記音声の音量に応じた数の上記スピーカを通じて上記音声を出力することが好ましい。
【００３６】
上記の構成によれば、コンテンツ再生装置は、たとえば音量が低ければ一つのスピーカを通じて音声を出力し、逆に大きければ二つ以上のスピーカを通じて音声を出力する。これにより、スピーカを有効に活用できる。
【００３７】
（スピーカ間への音声定位）
また、本発明に係るコンテンツ再生装置では、さらに、
上記音声出力手段は、所望の音声出力目標位置の両隣にあるスピーカから、上記音声を出力することが好ましい。
【００３８】
上記の構成によれば、音声出力目標位置に丁度一致する位置にスピーカが無くても、その両隣のスピーカから音声を出力するので、音声出力目標位置に音声をうまく定位させられる。
【００３９】
（スピーカ間への音声定位）
また、本発明に係るコンテンツ再生装置では、さらに、
上記音声出力手段は、上記音声出力目標位置の両隣にあるスピーカのうち、当該目標位置により近いスピーカから、より大きい音量の音声を出力する。
【００４０】
上記の構成によれば、両隣のスピーカのうち一方のスピーカから目標位置までの距離と、もう一方のスピーカから目標位置までの距離とが異なっていても、目標位置に丁度一致するように音声を定位させられる。
【００４１】
（二列のスピーカ利用）
また、本発明に係るコンテンツ再生装置、さらに、
上記複数のスピーカは、上記表示画面における上側および下側の両方において、当該表示画面の横方向に一列に配置されていることが好ましい。
【００４２】
上記の構成によれば、コンテンツ再生装置は、映像に応じた音声を、表示領域の横方向および縦方向の両方とも偏らせることなく、表示領域に定位させられる。
【００４３】
（縦方向での音声定位）
また、本発明に係るコンテンツ再生装置では、さらに、
上記表示画面の上側にあるスピーカと下側にあるスピーカとのうち、上記表示領域により近い方のスピーカから、より大きい音量の上記音声を出力することが好ましい。
【００４４】
上記の構成によれば、音声の定位位置を、表示領域の縦方向における中心位置に、よりいっそう近づけられる。
【００４５】
なお、上記コンテンツ再生装置は、コンピュータによって実現してもよい。この場合、コンピュータを上記各手段として動作させることにより上記コンテンツ再生装置をコンピュータにおいて実現するプログラム、およびそのプログラムを記録したコンピュータ読み取り可能な記録媒体も、本発明の範疇に入る。
【発明の効果】
【００４６】
以上のように、本発明に係るコンテンツ再生装置は、表示画面の少なくとも一部を占める領域における映像の表示位置と、当該映像に対応した音声の出力位置との定位を、コストを抑えながら実現できる。
【発明を実施するための最良の形態】
【００４７】
〔実施形態１〕
本発明に係る一実施形態について、図１〜図５を参照して以下に説明する。
【００４８】
（テレビジョン装置１の全体構成）
図１は、本発明の一実施形態に係るテレビジョン装置１の全体構成を示すブロック図である。この図に示すように、テレビジョン装置１は、表示装置２、映像制御部３、メモリ４、音声信号選択部５、増幅部６、スピーカ切換器７、スピーカ群８、操作部９、ＭＰＵ１０、ＭＰＵ１１、アナログチューナ１２、デジタルチューナ１３、外部入力１４、外部入力１５、およびＨＤＭＩ１６を備えている。
【００４９】
表示装置２は、一つの大画面表示パネルを有しており、少なくとも１つのサブ画面を、背景画面（全体画面）と共に同時に表示する。すなわち表示装置２は、いわゆるマルチ画面表示装置である。
【００５０】
映像制御部３は、複数の映像信号を処理することによって、複数の映像を合成し一つの映像として、表示装置２に出力する。すなわち、いわゆるＰｉｎＰ（Picture in Picture）処理またはＰｏｎＰ（Picture on Picture）を行う。
【００５１】
メモリ４は、背景画面に表示される静止画を表すデータ（信号）をあらかじめ格納している。このデータは、映像制御部３によって読み出される。
【００５２】
音声信号選択部５は、ＭＰＵ１１からの指示に基づき、入力された音声信号のいずれを出力するのかを決定し、決定した音声信号を増幅部６に出力する。
【００５３】
増幅部６は、音声信号選択部５から入力された音声信号を増幅してスピーカ切換器７に出力する。
【００５４】
スピーカ切換器７は、増幅部６から入力される音声信号を、複数のスピーカのいずれかに選択的に出力する。
【００５５】
スピーカ群８は、複数のスピーカによって構成されている。この構成の詳細は後述する。
【００５６】
操作部９は、視聴者による操作を受け付ける、リモコンまたはマウス等である。
【００５７】
ＭＰＵ１０およびＭＰＵ１１の詳細は後述する。
【００５８】
アナログチューナ１２は、アナログ放送された放送番組を受信し、当該番組の映像信号を映像制御部３に出力すると共に、当該番組の音声信号を音声信号選択部５に出力する。
【００５９】
デジタルチューナ１３は、デジタル放送された放送番組を受信し、当該番組の映像信号を映像制御部３に出力すると共に、当該番組の音声信号を音声信号選択部５に出力する。
【００６０】
外部入力１４は、テレビジョン装置１に接続された第１の外部装置からの映像信号および音声信号の入力を受け、当該入力された映像信号を映像制御部３に出力すると共に、当該入力された音声信号を音声信号選択部５に出力する。
【００６１】
外部入力１５は、テレビジョン装置１に接続された第２の外部装置からの映像信号および音声信号の入力を受け、当該入力された映像信号を映像制御部３に出力すると共に、当該入力された音声信号を音声信号選択部５に出力する。
【００６２】
ＨＤＭＩ１６は、テレビジョン装置１に接続された第３の外部装置からの映像信号および音声信号の入力を受け、当該入力された映像信号を映像制御部３に出力すると共に、当該入力された音声信号を音声信号選択部５に出力する。ここでいうＨＤＭＩとは、「High-Definition Multimedia Interface」のことである。
【００６３】
（テレビジョン装置１の要部構成）
図２は、本発明の一実施形態に係るテレビジョン装置１の要部構成を示すブロック図である。この図に示すように、テレビジョン装置１は、図１に示す各部材に加え、増幅器２０、およびスピーカｓ１〜ｓ１２を備えている。増幅器２０は増幅部６を構成する。スピーカｓ１〜ｓ１２はスピーカ群８を構成する。スピーカｓ１〜ｓ１２は、いずれもスピーカ切換器７に接続されている。
【００６４】
（背景画面の位置およびサイズ）
図３は、本発明のテレビジョン装置１が、入力されたモノラル音声をサブ画面２４に定位させている様子を示す図である。この図に示すように、本実施形態のテレビジョン装置１では、背景画面２２における視聴者から向かって左上のｘ座標およびｙ座標の値は、それぞれ「０」である。一方、背景画面２２における視聴者から向かって右上のｘ座標の値は、「１９１９」である。また、背景画面２２における視聴者から向かって右下のｙ座標の値は、「１０７９」である。すなわち、背景画面２２のサイズは１９２０画素×１０８０画素である。
【００６５】
なお、本実施形態では、サブ画面２４の視聴者から向かって左上のｘ座標およびｙ座標はそれぞれｘ＿ｓおよびｙ＿ｓである。また、サブ画面２４の横幅はΔｘ＿ｓであり、縦幅はΔｙ＿ｓである。
【００６６】
（サブ画面２４の表示）
図３に示す例では、テレビジョン装置１は、背景画面２２およびサブ画面２４を表示している。表示処理の流れを以下に説明する。映像制御部３が、背景画面映像信号（ＢＡＣＫ）およびサブ画面映像信号（ＳＵＢ）の入力を受け付ける。ＢＡＣＫは背景画面２２の映像を表す信号である。ＳＵＢはサブ画面２４の映像を表す信号である。また、映像制御部３は、サブ画面サイズ情報（ＳＩＺＥ）およびサブ画面位置情報（ＰＯＳ）の入力も受け付ける。ＳＩＺＥは、サブ画面２４のサイズ（縦幅および横幅）を表す情報である。ＰＯＳは、サブ画面２４の表示装置２における表示位置（座標）を表す情報である。
【００６７】
映像制御部３は、ＳＩＺＥおよびＰＯＳに基づき、ＢＡＣＫおよびＳＵＢを合成（ＰｉｎＰ処理）して一つの映像信号を生成し、表示装置２に出力する。これにより表示装置２は、背景画面２２およびサブ画面２４を重ね合わせた一つの映像を表示する。ＰｉｎＰ処理は公知の技術なので、これ以上の詳細な説明を省略する。
【００６８】
（スピーカｓ１〜ｓ１２の配置）
図３に示すように、スピーカｓ１〜ｓ１２は、テレビジョン装置１の筐体の下側（表示画面の下側）に横並びに配置されている。各スピーカは互いに等間隔に配置され、最も左側のスピーカｓ１は表示画面のほぼ左端付近にあり、最も右側のスピーカｓ１２は表示画面のほぼ右側付近にある。つまり１２個のスピーカは、表示画面のｘ軸の全範囲を部分的かつ個別にカバーする形で配置されている。
【００６９】
各スピーカの中央ｘ座標（表示画面の左端のｘ座標を「０」とする）は、次の通りである；
スピーカｓ１：８０
スピーカｓ２：２４０
スピーカｓ３：４００
スピーカｓ４：５６０
スピーカｓ５：７２０
スピーカｓ６：８８０
スピーカｓ７：１０４０
スピーカｓ８：１２００
スピーカｓ９：１３６０
スピーカｓ１０：１５２０
スピーカｓ１１：１６８０
スピーカｓ１２：１８４０。
【００７０】
図３に示す例では、テレビジョン装置１は、サブ画面２４に表示する映像に対応するモノラル音声を、スピーカｓ９から選択的に出力している。その他のスピーカ（ｓ１〜ｓ８、ｓ１０〜ｓ１２）からは、音声信号を出力していない。これによりテレビジョン装置１は、サブ画面２４の映像に対応するモノラル音声を、サブ画面２４のｘ軸における略中央に定位させている。
【００７１】
（音声定位処理）
この音声定位を実現する処理をより具体的に説明する。テレビジョン装置１では、まず増幅器２０が、サブ画面モノラル音声信号（ＭＯＮＯ）の入力を受ける。ＭＯＮＯは、サブ画面２４の映像に対応したモノラル音声を表す信号である。増幅器２０は、入力されたＭＯＮＯの振幅を増幅させ、スピーカ切換器７に出力する。スピーカ切換器７は、モノラル音声を出力すべきスピーカとしてスピーカｓ９を選択し、当該選択したスピーカｓ９にＭＯＮＯを出力する。こうしてスピーカｓ９は、入力されたＭＯＮＯが表すモノラル音声を出力する。
【００７２】
（スピーカ選択処理）
スピーカ切換器７は、ＭＰＵ１１から入力されるスピーカ切換値ｓｓ１に基づき、スピーカを１つ選択する。ＭＰＵ１１は、ＳＩＺＥおよびＰＯＳの入力を受け付け、これらに基づきｓｓ１を決定してスピーカ切換器７に出力する。
【００７３】
スピーカ選択処理について、より詳しく説明する。図４は、本発明のテレビジョン装置１が実行するスピーカ選択処理の流れを示すＭＰＵ１１のフローチャートである。例えば、操作部９はマルチポイントのポインティングデバイスであり、これを視聴者が操作することにより、サブ画面２４の左上および右下の座標をＭＰＵ１０に出力する。ＭＰＵ１０は、入力されたサブ画面２４の左上および右下の座標から、サブ画面２４の横幅Δｘ＿ｓと高さΔｙ＿ｓとを求め、サブ画面２４の左上の座標（ｘ＿ｓ、ｙ＿ｓ）と共にＭＰＵ１１に出力する。図２に記載している、ＳＩＺＥは、サブ画面２４の横幅Δｘ＿ｓと高さΔｙ＿ｓであり、ＰＯＳは、サブ画面２４の左上の座標（ｘ＿ｓ、ｙ＿ｓ）である。
【００７４】
ＭＰＵ１１は、送られたＳＩＺＥおよびＰＯＳのうち、サブ画面２４の左上の座標ｘ＿ｓと横幅Δｘ＿ｓの情報を取得する（ステップＳ１）。ＭＰＵ１１は、入力された信号に基づき、サブ画面２４の中央ｘ座標（ｘ＿ｓ＋Δｘ＿ｓ／２）を求める（ステップＳ２）。本実施形態では、この値は「１３５０」である。
【００７５】
（スピーカ選択テーブル２６）
ＭＰＵ１１は、算出したｘ＿ｓ＋Δｘ＿ｓ／２の値に基づき、ｓｓ１を決定する（ステップＳ３）。この決定には所定のスピーカ選択テーブル２６を用いる。図５は、本発明のテレビジョン装置１に記憶されているスピーカ選択テーブル２６を示す図である。本実施形態では、図５に示すスピーカ選択テーブル２６が、ＭＰＵ１０の内部に格納されている。スピーカ選択テーブル２６は、表示装置２におけるある範囲のｘ座標の値と、所定のスピーカ切換値とを互いに関連付けて格納している。各スピーカ切換値は、スピーカ切換器７に接続されているスピーカ（ｓ１〜ｓ１２）をそれぞれ表している。
【００７６】
ＭＰＵ１１は、ｘ＿ｓ＋Δｘ＿ｓ／２（ここでは「１３５０」）に関連付けられているスピーカ切換値ｓｓ１（図５では「９」）を、スピーカ選択テーブル２６から取得する。ＭＰＵ１１は、取得したｓｓ１をスピーカ切換器７に出力する（ステップＳ４）。スピーカ切換器７は、入力されたｓｓ１に基づき、ＭＯＮＯを出力する対象のスピーカを選択する。ここではｓｓ１は「９」なので、スピーカ切換器７はスピーカｓ９を選択する。つまりスピーカ切換値の値と同じ番号のスピーカを選択する。これによりスピーカ切換器７は、スピーカｓ９にＭＯＮＯを出力し、結果、スピーカｓ９はＭＯＮＯが表すモノラル音声を出力する。
【００７７】
（作用効果）
以上のように、テレビジョン装置１は、表示画面の一部領域に表示するサブ画面２４のサイズおよび位置に基づき、サブ画面２４の映像に対応するモノラル音声を出力するスピーカを選択する。このとき、サブ画面２４の中央ｘ座標の最も近辺に配置されているスピーカｓ９を選択している。したがって、サブ画面２４にモノラル音声を確実に定位させることができる。結果、視聴者は、サブ画面２４の映像を見るときに、対応するモノラル音声を違和感無く、つまりサブ画面２４の映像に関する音声だと明確に認識しながら、耳にする。
【００７８】
〔実施形態２〕
本発明に係る第２の実施形態について、図６〜図８を参照して以下に説明する。なお、上述した第１の実施形態と共通する各部材には同じ符号を付し、詳細な説明を省略する。
【００７９】
（テレビジョン装置１ａの要部構成）
図６は、本発明の一実施形態に係るテレビジョン装置１ａの要部構成を示すブロック図である。この図に示すように、テレビジョン装置１ａは、図１に示す各部材に加え、増幅器２０ａ、増幅器２０ｂ、およびスピーカｓ１〜ｓ１２を備えている。増幅器２０ａおよび増幅器２０ｂは増幅部６を構成する。スピーカｓ１〜ｓ１２はスピーカ群８を構成する。スピーカｓ１〜ｓ１２は、いずれもスピーカ切換器７に接続されている。
【００８０】
（ステレオ音声の出力）
図７は、本発明のテレビジョン装置１ａが、入力されたステレオ音声をサブ画面２４に定位させている様子を示す図である。サブ画面２４の表示位置は、図３と同様である。テレビジョン装置１ａは、サブ画面２４の映像に対応するステレオ音声を、スピーカｓ７およびスピーカｓ１１から選択的に出力している。その他のスピーカ（ｓ１〜ｓ６、ｓ８〜ｓ１０、およびｓ１２）からは、音声信号を出力していない。これにより映像に対応するステレオ音声を、サブ画面２４に定位させている。
【００８１】
（音声定位処理）
この音声定位を実現する処理をより具体的に説明する。まず増幅器２０ａは、サブ画面左音声信号（Ｌｃｈ）の入力を受ける。Ｌｃｈは、ステレオ音声のうち左チャンネル成分を表す信号である。一方、増幅器２０ｂは、サブ画面右音声信号（Ｒｃｈ）の入力を受ける。Ｒｃｈは、ステレオ音声のうち右チャンネル成分を表す信号である。
【００８２】
増幅器２０ａは、入力されたＬｃｈの振幅を増幅させ、スピーカ切換器７に出力する。スピーカ切換器７は、サブ画面左音声を出力すべきスピーカとしてスピーカｓ７を選択し、当該選択したスピーカｓ７にＬｃｈを出力する。こうしてスピーカｓ７は、入力されたＬｃｈが表す左チャンネル音声を出力する。
【００８３】
増幅器２０ｂは、入力されたＲｃｈの振幅を増幅させ、スピーカ切換器７に出力する。スピーカ切換器７は、右チャンネル音声を出力すべきスピーカとしてスピーカｓ１１を選択し、当該選択したスピーカｓ１１にＲｃｈを出力する。こうしてスピーカｓ１１は、入力されたＲｃｈが表す右チャンネル音声を出力する。
【００８４】
以上により、テレビジョン装置１ａは、サブ画面２４の映像に対応したステレオ音声を、スピーカｓ７およびｓ１１から出力する。
【００８５】
（スピーカ選択処理）
スピーカ切換器７は、ＭＰＵ１１から入力されるスピーカ切換値ｓｓ１およびｓｓ２に基づき、スピーカを２つ選択する。ＭＰＵ１１は、ＳＩＺＥおよびＰＯＳの入力を受け付け、これらに基づきｓｓ１およびｓｓ２を算出してスピーカ切換器７に出力する。
【００８６】
このスピーカ選択処理について、より詳しく説明する。図８は、本発明のテレビジョン装置１ａが実行するスピーカ選択処理の流れを示すＭＰＵ１１のフローチャート図である。この図に示すように、まずＭＰＵ１１は、送られたＳＩＺＥおよびＰＯＳのうち、サブ画面２４の左上の座標ｘ＿ｓと横幅Δｘ＿ｓとの情報を取得する（ステップＳ１１）。つぎにＭＰＵ１１は、入力された信号に基づき、ｘ＿ｓおよびｘ＿ｓ＋Δｘ＿ｓを求める（ステップＳ１２）。ＭＰＵ１１は、求めたこれらの値に基づき２つのスピーカ切換値ｓｓ１およびｓｓ２を決定する（ステップＳ１３）。具体的には、まずｘ＿ｓに関連付けられているスピーカ切換値を、スピーカ選択テーブル２６から選択し、ｓｓ１として決定する。本実施形態ではｓｓ１の値は「７」である。さらに、ｘ＿ｓ＋Δｘ＿ｓに関連付けられているスピーカ切換値をスピーカ選択テーブル２６から選択し、ｓｓ２として決定する。本実施形態では、ｓｓ２の値は「１１」である。
【００８７】
ＭＰＵ１１は、決定したｓｓ１およびｓｓ２をスピーカ切換器７に出力する（ステップＳ１４）。スピーカ切換器７は、入力されたｓｓ１に基づき、Ｌｃｈを出力する対象のスピーカ、およびＲｃｈを出力する対象のスピーカをそれぞれ選択する。
【００８８】
ここではｓｓ１が「７」なので、スピーカ切換器７は、Ｌｃｈの出力先としてスピーカｓ７を選択する。一方、ｓｓ２が「１１」なので、スピーカ切換器７は、Ｒｃｈの出力先としてスピーカｓ１１を選択する。したがってスピーカ切換器７は、Ｌｃｈをスピーカｓ７に出力し、一方、Ｒｃｈをスピーカｓ１１に出力する。
【００８９】
（作用効果）
以上の処理によって、テレビジョン装置１ａは、サブ画面２４に映像を表示しつつ、当該映像に対応したステレオ音声をスピーカｓ７およびスピーカｓ１１を通じて出力する。スピーカｓ７の位置はサブ画面２４の左端直下であり、スピーカｓ１１はサブ画面２４の右端直下である。したがってテレビジョン装置１ａは、ステレオ音声をサブ画面２４に定位させることができる。結果、視聴者は、サブ画面２４の映像を見るときに、対応するステレオ音声を違和感無く、つまりサブ画面２４の映像に関する音声だと明確に認識しながら、耳にする。
【００９０】
〔実施形態３〕
本発明に係る第３の実施形態について、図９〜図１２を参照して以下に説明する。なお、上述した第１または第２の実施形態と共通する各部材には同じ符号を付し、詳細な説明を省略する。
【００９１】
（テレビジョン装置１ｂの要部構成）
図９は、本発明の一実施形態に係るテレビジョン装置１ｂの要部構成を示すブロック図である。この図に示すように、テレビジョン装置１ｂは、図１に示す各部材に加え、増幅器２０ａ、増幅器２０ｂ、音声出力選択器２８、混合器３０、およびスピーカｓ１〜ｓ１２を備えている。増幅器２０ａおよび増幅器２０ｂは増幅部６を構成する。スピーカｓ１〜ｓ１２はスピーカ群８を構成し、いずれもスピーカ切換器７に接続されている。
【００９２】
（ステレオ音声の出力）
図１０は、本発明のテレビジョン装置１ｂが、入力されたステレオ音声をサブ画面２４に定位させている様子を示す図である。テレビジョン装置１ｂは、サブ画面２４の映像に対応するステレオ音声をスピーカｓ７およびスピーカｓ１１から選択的に出力している。その他のスピーカ（ｓ１〜ｓ６、ｓ８〜ｓ１０、およびｓ１２）からは、音声信号を出力していない。これにより映像に対応するステレオ音声を、サブ画面２４に定位させている。
【００９３】
（モノラル音声の出力）
図１１は、本発明のテレビジョン装置１ｂが、入力されたステレオ音声を合成したモノラル音声をサブ画面２４ａに定位させている様子を示す図である。図１１の例では、テレビジョン装置１ｂは、サブ画面２４ａを表示している。サブ画面２４ａのサイズは、サブ画面２４よりも小さい。すなわちサブ画面２４ａの横幅は、１２個あるスピーカのうち１つをカバーするに過ぎない。そこでテレビジョン装置１ｂは、サブ画面２４ａの映像に対応したステレオ音声を合成して１つのモノラル音声とし、サブ画面２４ａの直下に配置されているスピーカｓ７を通じて出力する。その他のスピーカ（ｓ１〜ｓ６、ｓ８〜ｓ１２）からは、音声信号を出力していない。これにより、サブ画面２４の映像に対応するモノラル音声を、サブ画面２４ａに定位させている。
【００９４】
（音声定位処理）
これらの音声定位を実現する処理を、より具体的に説明する。まず混合器３０が、ＬｃｈおよびＲｃｈの入力を受ける。混合器３０は、入力されたＬｃｈおよびＲｃｈを混合して一つの音声信号（Ｌ＋Ｒ）を生成し、音声出力選択器２８に出力する。音声出力選択器２８には、Ｌｃｈも入力される。音声信号選択部５は、ＭＰＵ１１からの指示に基づき、入力された２つの音声信号（Ｌｃｈ、およびＬ＋Ｒ）のうちいずれかを選択して増幅器２０ａに出力する。
【００９５】
ＭＰＵ１１は、決定したｓｓ１およびｓｓ２に基づき、いずれの音声信号を出力すべきかを音声出力選択器２８に指示する。具体的には、ｓｓ１がｓｓ２と異なる場合、Ｌｃｈを選択して出力することを音声出力選択器２８に指示する。一方、ｓｓ１＝ｓｓ２の場合、Ｌ＋Ｒを選択して出力することを音声出力選択器２８に指示する。
【００９６】
テレビジョン装置１ｂが図１０のサイズでサブ画面２４を表示する場合、ｓｓ１はｓｓ２と異なる。このとき増幅器２０ａは、Ｌｃｈの入力を受け、これの振幅を増幅してスピーカ切換器７に出力する。一方、増幅器２０ｂはＲｃｈの入力を受け、これを増幅してスピーカ切換器７に出力する。これ以降、テレビジョン装置１ｂは図６の場合と同じ処理を実行することによって、ステレオ音声をサブ画面２４に定位させる。
【００９７】
一方、テレビジョン装置１ｂが図１１のサイズでサブ画面２４を表示する場合、ｓｓ１はｓｓ２に等しい。このとき増幅器２０ａは、Ｌ＋Ｒの入力を受け、この振幅を増幅してスピーカ切換器７に出力する。一方、増幅器２０ｂは、Ｒｃｈの振幅を増幅させてからスピーカ切換器７に出力してもよいし、消費電力削減等のため増幅を行わないようにしてもよい。これらの結果、スピーカ切換器７は、Ｌ＋Ｒが表すモノラル音声を出力すべきスピーカとしてスピーカｓ７を選択し、当該選択したスピーカｓ７にＬ＋Ｒを出力する。こうしてスピーカｓ１０は、入力されたＬ＋Ｒが表すモノラル音声を出力する。なお、スピーカ切換器７は、入力されたＲｃｈをいずれのスピーカにも出力しない。
【００９８】
（スピーカ選択処理）
スピーカ切換器７は、ＭＰＵ１１から入力されるスピーカ切換値ｓｓ１およびｓｓ２に基づき、スピーカを１つまたは２つ選択する。ＭＰＵ１１は、ＳＩＺＥおよびＰＯＳの入力を受け付け、これらに基づきｓｓ１およびｓｓ２を算出してスピーカ切換器７に出力する。
【００９９】
このスピーカ選択処理について、より詳しく説明する。図１２は、本発明のテレビジョン装置１ｂが実行するスピーカ選択処理の流れを示すＭＰＵ１１のフローチャート図である。この図に示すように、まずＭＰＵ１１は、送られたＳＩＺＥおよびＰＯＳのうち、サブ画面２４の左上の座標ｘ＿ｓと横幅Δｘ＿ｓとの情報を取得する（ステップＳ２１）。ＭＰＵ１１は、入力された信号に基づき、ｘ＿ｓおよびｘ＿ｓ＋Δｘ＿ｓを求める（ステップＳ２２）。ＭＰＵ１１は、求めたこれらの値に基づき２つのスピーカ切換値ｓｓ１およびｓｓ２を決定する（ステップＳ２３）。具体的には、まずｘ＿ｓに関連付けられているスピーカ切換値を、スピーカ選択テーブル２６から選択し、ｓｓ１として決定する。さらに、ｘ＿ｓ＋Δｘ＿ｓに関連付けられているスピーカ切換値をスピーカ選択テーブル２６から選択し、ｓｓ２として決定する。
【０１００】
次にＭＰＵ１１は、ｓｓ１＝ｓｓ２であるか否かを判定する（ステップＳ２４）。ステップＳ２４における判定の結果が「真」であるとき（ＹＥＳ）、ＭＰＵ１１は、決定した値のｓｓ１をスピーカ切換器７に出力する。ここで、ｓｓ１の値は「７」であるとする。ＭＰＵ１１は、ｓｓ２については決定した値を破棄し、「０」の値としてスピーカ切換器７に出力する。さらに、音声出力選択器２８に対し、Ｌ＋Ｒを選択して出力することを指示する。この指示を受けた音声出力選択器２８は、入力された音声信号（Ｌ＋Ｒ、およびＬ＋Ｒ）のうち、Ｌ＋Ｒを増幅器２０ａに出力する（ステップＳ２６）。したがってスピーカ切換器７には、増幅後のＬ＋Ｒが入力される。
【０１０１】
スピーカ切換器７は、入力されたｓｓ１に基づき、Ｌ＋Ｒを出力すべきスピーカを選択する。ｓｓ１の値は「７」なので、スピーカｓ７を選択する。一方、入力されたｓｓ２の値は「０」なので、Ｒｃｈを出力するスピーカを選択しない（ＯＦＦ）。
【０１０２】
以上の処理によって、テレビジョン装置１ｂは、サブ画面２４ａに映像を表示しつつ、当該映像に対応したモノラル音声をスピーカｓ７を通じて出力する。スピーカｓ７の位置はサブ画面２４ａの中央部直下である。したがってテレビジョン装置１ｂは、モノラル音声をサブ画面２４ａに定位させることができる。
【０１０３】
一方、ステップＳ２４における判定の結果が「偽」であるとき（ＮＯ）、ＭＰＵ１１は、決定した値のｓｓ１およびｓｓ２をいずれもスピーカ切換器７に出力する。さらに、ＭＰＵ１１は、音声出力選択器２８に対し、Ｌｃｈを選択して出力することを指示する。これにより音声出力選択器２８は、入力された音声信号（Ｌｃｈ、およびＬ＋Ｒ）のうち、Ｌｃｈを増幅器２０ａに出力する（ステップＳ２６）。したがってスピーカ切換器７には、増幅後のＬが入力される。なお、スピーカ切換器７にはＲｃｈも入力される。
【０１０４】
スピーカ切換器７は、入力されたｓｓ１およびｓｓ２に基づき、Ｌｃｈを出力する対象のスピーカ、および、Ｒｃｈを出力する対象のスピーカを、それぞれ選択する。以降の処理は図８の場合と同様なので、詳細な説明を省略する。
【０１０５】
（作用効果）
以上の処理によって、テレビジョン装置１ｂは、サブ画面２４のサイズに応じた種類の音声（ステレオ音声またはモノラル音声）を出力する。したがって、サブ画面２４のサイズが変更されても、出力音声の定位に影響を受けることがない。
【０１０６】
〔実施形態４〕
本発明に係る第４の実施形態について、図１３〜図１５を参照して以下に説明する。なお、上述した第１〜第３のいずれかの実施形態と共通する各部材には同じ符号を付し、詳細な説明を省略する。
【０１０７】
（テレビジョン装置１ｃの要部構成）
図１３は、本発明の一実施形態に係るテレビジョン装置１ｃの要部構成を示すブロック図である。この図に示すように、テレビジョン装置１ｃは、図１に示す各部材に加え、増幅器２０ａ、増幅器２０ｂ、増幅器２０ｃ、および１２個のスピーカｓ１〜ｓ１２を備えている。増幅器２０ａ〜２０ｃは、増幅部６を構成する。スピーカｓ１〜ｓ１２はスピーカ群８を構成し、いずれもスピーカ切換器７に接続されている。
【０１０８】
（ステレオ＋センター音声の出力）
図１４は、本発明のテレビジョン装置１ｃが、入力されたステレオ音声およびセンター音声をサブ画面２４に定位させている様子を示す図である。テレビジョン装置１ｃは、サブ画面２４の映像に対応するステレオ＋センター音声を、スピーカｓ７、ｓ９、およびｓ１１から選択的に出力している。その他のスピーカ（ｓ１〜ｓ６、ｓ８、ｓ１０、およびｓ１２）からは、音声信号を出力していない。すなわち映像に対応するステレオ＋センター音声を、サブ画面２４に定位させている。
【０１０９】
（音声定位処理）
この音声定位を実現する処理をより具体的に説明する。まず増幅器２０ａが、Ｌｃｈの入力を受ける。さらに増幅器２０ｂが、Ｒｃｈの入力を受ける。また増幅器２０ｃが、サブ画面中央音声信号（Ｃｃｈ）の入力を受ける。Ｃｃｈは、センター音声を表す信号である。すなわちＣｃｈは、三チャンネルの成分からなるステレオ音声のうち、センターチャンネルの成分を表す信号である。
【０１１０】
増幅器２０ａは、Ｌｃｈの振幅を増幅させてスピーカ切換器７に出力する。スピーカ切換器７は、左チャンネル音声を出力すべきスピーカとしてスピーカｓ７を選択し、当該選択したスピーカｓ７にＬｃｈを出力する。こうしてスピーカｓ１０は、入力されたＬｃｈが表す左チャンネル音声を出力する。
【０１１１】
増幅器２０ｂは、Ｒｃｈの振幅を増幅させてスピーカ切換器７に出力する。スピーカ切換器７は、右チャンネル音声を出力すべきスピーカとしてスピーカｓ９を選択し、当該選択したスピーカｓ９にＲｃｈを出力する。こうしてスピーカｓ９は、入力されたＲｃｈが表す右チャンネル音声を出力する。
【０１１２】
増幅器２０ｃは、Ｃｃｈの振幅を増幅させてスピーカ切換器７に出力する。スピーカ切換器７は、センターチャンネル音声を出力すべきスピーカとしてスピーカｓ１１を選択し、当該選択したスピーカｓ１１にＣｃｈを出力する。こうしてスピーカｓ１１は、入力されたＣｃｈが表すセンターチャンネル音声を出力する。
【０１１３】
（スピーカ選択処理）
スピーカ切換器７は、ＭＰＵ１１から入力されるスピーカ切換値ｓｓ１、ｓｓ２、およびｓｓ３に基づき、スピーカを３つ選択する。ＭＰＵ１１は、ＳＩＺＥおよびＰＯＳの入力を受け、これらに基づきｓｓ１、ｓｓ２、およびｓｓ３を算出してスピーカ切換器７に出力する。
【０１１４】
このスピーカ選択処理について、より詳しく説明する。図１５は、本発明のテレビジョン装置１ｃが実行するスピーカ選択処理の流れを示すＭＰＵ１１のフローチャート図である。この図にしめすように、まずＭＰＵ１１は、送られたＳＩＺＥおよびＰＯＳのうち、サブ画面２４の左上の座標ｘ＿ｓと横幅Δｘ＿ｓの情報を取得する（ステップＳ３１）。ＭＰＵ１１は、入力された信号に基づき、ｘ＿ｓ、ｘ＿ｓ＋Δｘ＿ｓおよびｘ＿ｓ＋Δｘ＿ｓ／２を求める（ステップＳ３２）。ＭＰＵ１１は、求めたこれらの値に基づき３つのスピーカ切換値ｓｓ１、ｓｓ２、およびｓｓ３を決定する（ステップＳ３３）。具体的には、まずｘ＿ｓに関連付けられているスピーカ切換値を、スピーカ選択テーブル２６から選択し、ｓｓ１として決定する。さらに、ｘ＿ｓ＋Δｘ＿ｓに関連付けられているスピーカ切換値をスピーカ選択テーブル２６から選択し、ｓｓ２として決定する。最後に、ｘ＿ｓ＋Δｘ＿ｓ／２に関連付けられているスピーカ切換値をスピーカ選択テーブル２６から選択し、ｓｓ３として決定する。
【０１１５】
ＭＰＵ１１は、決定したｓｓ１、ｓｓ２、およびｓｓ３をスピーカ切換器７に出力する（ステップＳ３４）。スピーカ切換器７は、入力されたｓｓ１に基づき、Ｌｃｈの出力先のスピーカを選択する。さらに、ｓｓ２に基づき、Ｒｃｈの出力先のスピーカを選択する。さらに、ｓｓ３に基づき、Ｃｃｈの出力先のスピーカを選択する。
【０１１６】
本実施形態ではｓｓ１が「７」なので、スピーカ切換器７はＬｃｈの出力先としてスピーカｓ７を選択する。さらにｓｓ２が「１１」なので、Ｒｃｈの出力先としてスピーカｓ１１を選択する。さらにｓｓ３が「９」なので、Ｃｃｈの出力先としてスピーカｓ９を選択する。したがってスピーカ切換器７は、Ｌｃｈをスピーカｓ７に出力し、Ｒｃｈをスピーカｓ１１に出力し、かつＣｃｈをスピーカｓ９にそれぞれ出力する。
【０１１７】
以上の処理によって、テレビジョン装置１ｃは、サブ画面２４に映像を表示しつつ、当該映像に対応したステレオ音声をスピーカｓ７およびスピーカｓ１１を通じて出力する。さらに、当該映像に応じてセンター音声を、スピーカｓ９を通じて出力する。スピーカｓ７はサブ画面２４の左端直下に位置し、スピーカｓ１１はサブ画面２４の右端直下に位置する。また、スピーカｓ９はサブ画面２４の中央直下に位置する。したがってテレビジョン装置１ｃは、ステレオ音声およびセンター音声を、いずれもサブ画面２４に定位させることができる。結果、視聴者は、サブ画面２４の映像を見るときに、当該映像に対応する３チャンネルステレオ音声を違和感無く、つまりサブ画面２４の映像に関する音声だと明確に認識しながら、耳にする。
【０１１８】
〔実施形態５〕
本発明に係る第５の実施形態について、図１６〜図２０を参照して以下に説明する。なお、上述した第１〜第４のいずれかの実施形態と共通する各部材には同じ符号を付し、詳細な説明を省略する。
【０１１９】
（テレビジョン装置１ｄの要部構成）
図１６は、本発明の一実施形態に係るテレビジョン装置１ｄの要部構成を示すブロック図である。この図に示すように、テレビジョン装置１ｄは、図１に示す各部材に加え、増幅器２０ａ〜２０ｃ、音声出力選択器２８ａ〜２８ｃ、混合器３０ａ〜３０ｃ、およびスピーカｓ１〜ｓ１２を備えている。増幅器２０ａ〜２０ｃは、増幅部６を構成する。スピーカｓ１〜ｓ１２はスピーカ群８を構成し、いずれもスピーカ切換器７に接続されている。
【０１２０】
本実施形態のテレビジョン装置１ｄは、サブ画面２４を表示する。このとき、サブ画面２４のサイズに応じて、サブ画面２４に対応する音声を出力するスピーカの数を変更する。各例を図１７〜図１９にそれぞれ示す。
【０１２１】
図１７は、本発明のテレビジョン装置１ｄが、入力されたステレオ音声およびセンター音声をサブ画面２４に定位させている様子を示す図である。図１８は、本発明のテレビジョン装置１ｄが、入力されたステレオ音声およびセンター音声を２ｃｈステレオ音声に変換して、サブ画面２４に定位させている様子を示す図である。図１９は、本発明のテレビジョン装置１ｄが、入力されたステレオ音声およびセンター音声を１ｃｈモノラル音声に変換して、サブ画面２４に定位させている様子を示す図である。
【０１２２】
（ステレオ音声およびセンター音声の出力）
図１７の例では、テレビジョン装置１ｄは、サブ画面２４に何らかの映像を表示する。テレビジョン装置１ｄは、表示する映像に対応するステレオ音声をスピーカｓ７およびｓ１１から選択的に出力している。また、当該映像に対応するセンター音声を、スピーカｓ９から選択的に出力している。その他のスピーカ（ｓ１〜ｓ６、ｓ８、ｓ１０、およびｓ１２）からは、音声信号を出力していない。
【０１２３】
（ステレオ音声の出力）
一方、図１８の例では、テレビジョン装置１ｄは、図１７よりもサイズの小さいサブ画面２４を表示している。すなわち図１８のサブ画面２４の横幅は、１２個あるスピーカのうち２つをカバーするに過ぎない。そこでテレビジョン装置１ｄは、サブ画面２４に表示する映像に対応したステレオ音声にセンター音声をそれぞれ合成して、サブ画面２４の下に配置されているスピーカｓ７およびｓ１１を通じて出力する。その他のスピーカ（ｓ１〜ｓ６、ｓ８〜ｓ１２）からは、音声信号を出力していない。
【０１２４】
（モノラル音声の出力）
一方、図１９の例では、テレビジョン装置１ｄは、図１８よりもサイズの小さいサブ画面２４を表示している。すなわち図１９のサブ画面２４の横幅は、１２個あるスピーカのうち１つをカバーするに過ぎない。そこでテレビジョン装置１ｄは、サブ画面２４に表示する映像に対応したステレオ音声およびセンター音声を合成して１つのモノラル音声とし、サブ画面２４の直下に配置されているスピーカｓ７を通じて出力する。その他のスピーカ（ｓ１〜ｓ６、ｓ８〜ｓ１２）からは、音声信号を出力していない。
【０１２５】
（音声の合成）
混合器３０ａは、ＬｃｈおよびＣｃｈの入力を受ける。混合器３０は、入力されたＬｃｈおよびＣｃｈを混合して一つの音声信号（Ｌ＋Ｃ／√２）を生成し、音声出力選択器２８ａに出力する。音声出力選択器２８ａには、Ｌｃｈも入力される。音声信号選択部５は、ＭＰＵ１１からの指示に基づき、入力された２つの音声信号（Ｌｃｈ、およびＬ＋Ｃ／√２）のうちいずれかを選択して増幅器２０ａに出力する。
【０１２６】
混合器３０ｂは、ＲｃｈおよびＣｃｈの入力を受ける。混合器３０ｂは、入力されたＲｃｈおよびＣｃｈを混合して一つの音声信号（Ｒ＋Ｃ／√２）を生成し、音声出力選択器２８ｂに出力する。音声出力選択器２８ｂには、Ｒｃｈも入力される。音声信号選択部５ｂは、ＭＰＵ１１からの指示に基づき、入力された２つの音声信号（Ｒｃｈ、およびＲ＋Ｃ／√２）のうちいずれかを選択して増幅器２０ｂに出力する。
【０１２７】
混合器３０ｃは、Ｌｃｈ、Ｒｃｈ、およびＣｃｈの入力を受ける。混合器３０は、入力されたＬｃｈ、Ｒｃｈ、およびＣｃｈを混合して一つの音声信号（Ｌ＋Ｒ＋Ｃ）を生成し、音声出力選択器２８ｃに出力する。音声出力選択器２８ｃには、Ｃｃｈも入力される。音声信号選択部５は、ＭＰＵ１１からの指示に基づき、入力された２つの音声信号（Ｃｃｈ、およびＬ＋Ｒ＋Ｃ）のうちいずれかを選択して増幅器２０ｃに出力する。
【０１２８】
（音声信号出力指示）
ＭＰＵ１１は、音声出力選択器２８ａ〜２８ｃに対して、入力される信号のうちいずれを出力すべきかを指示する。具体的には、後述するスピーカ切換値ｓｓ１、ｓｓ２、およびｓｓ３が互いに異なる場合、Ｌｃｈを選択して出力することを音声出力選択器２８ａに指示する。このときさらに、Ｒｃｈを選択して出力することを音声出力選択器２８ｂに指示する。さらに、Ｃｃｈを選択して出力することを音声出力選択器２８ｃに指示する。
【０１２９】
一方、ＭＰＵ１１は、ｓｓ１＝ｓｓ３またはｓｓ２＝ｓｓ３の場合、Ｌ＋Ｃ／√２を選択して出力することを音声出力選択器２８ａに指示する。このときさらに、Ｒ＋Ｃ／√２を選択して出力することを音声出力選択器２８ｂに指示する。
【０１３０】
一方、ｓｓ１＝ｓｓ２＝ｓｓ３の場合、Ｌ＋Ｒ＋Ｃを選択して出力することを音声出力選択器２８ｃに指示する。
【０１３１】
（スピーカ選択処理）
スピーカ切換器７は、ＭＰＵ１１から入力されるスピーカ切換値ｓｓ１、ｓｓ２、およびｓｓ３に基づき、スピーカを１つ、２つ、または３つ選択する。ＭＰＵ１１は、ＳＩＺＥおよびＰＯＳの入力を受け付け、これらに基づきｓｓ１、ｓｓ２、およびｓｓ３を算出してスピーカ切換器７に出力する。
【０１３２】
このスピーカ選択処理について、より詳細に説明する。図２０は、本発明のテレビジョン装置１ｄが実行するスピーカ選択処理の流れを示すＭＰＵ１１のフローチャート図である。この図に示すように、まずＭＰＵ１１は、送られたＳＩＺＥおよびＰＯＳのうち、サブ画面２４の左上の座標ｘ＿ｓと横幅Δｘ＿ｓとの情報を取得する（ステップＳ４１）。ＭＰＵ１１は、入力された信号に基づき、ｘ＿ｓ、ｘ＿ｓ＋Δｘ＿ｓ、およびｘ＿ｓ＋Δｘ＿ｓ／２を求める（ステップＳ４２）。ＭＰＵ１１は、求めたこれらの値に基づき３つのスピーカ切換値ｓｓ１、ｓｓ２、およびｓｓ３を決定する（ステップＳ４３）。具体的には、まずｘ＿ｓに関連付けられているスピーカ切換値を、スピーカ選択テーブル２６から選択し、ｓｓ１として決定する。さらに、ｘ＿ｓ＋Δｘ＿ｓに関連付けられているスピーカ切換値をスピーカ選択テーブル２６から選択し、ｓｓ２として決定する。さらに、ｘ＿ｓ＋Δｘ＿ｓ／２に関連付けられているスピーカ切換値をスピーカ選択テーブル２６から選択し、ｓｓ３として決定する。
【０１３３】
（モノラル音声出力）
次にＭＰＵ１１は、ｓｓ１＝ｓｓ２＝ｓｓ３であるか否かを判定する（ステップＳ４４）。ステップＳ４４における判定の結果が「真」であるとき（ＹＥＳ）、ｓｓ１およびｓｓ２について決定した値を破棄し、「０」の値としてスピーカ切換器７にそれぞれ出力する（ステップＳ４５）。一方、決定した値のｓｓ３をスピーカ切換器７に出力する（ステップＳ４６）。ＭＰＵ１１は、音声出力選択器２８ｃに対し、Ｌ＋Ｒ＋Ｃを選択して出力することを指示する。これにより音声出力選択器２８ｃは、入力された音声信号（Ｃｃｈ、およびＬ＋Ｒ＋Ｃ）のうち、Ｌ＋Ｒ＋Ｃを増幅器２０ｃに出力する（ステップＳ４７）。したがってスピーカ切換器７には、増幅後のＬ＋Ｒ＋Ｃが入力される。
【０１３４】
スピーカ切換器７は、入力されたｓｓ３に基づき、Ｌ＋Ｒ＋Ｃを出力すべきスピーカを選択する。ｓｓ３の値は「７」なので、スピーカｓ７を選択する。一方、入力されたｓｓ１の値は「０」なので、Ｌｃｈを出力するスピーカを選択しない（ＯＦＦ）。同様に、入力されたｓｓ２の値は「０」なので、Ｒｃｈを出力するスピーカを選択しない（ＯＦＦ）。
【０１３５】
以上の処理によって、テレビジョン装置１ｄは、サブ画面２４ａに映像を表示しつつ、当該映像に対応したモノラル音声をスピーカｓ７を通じて出力する。スピーカｓ７の位置はサブ画面２４ａの中央部直下である。したがってテレビジョン装置１ｄは、１チャンネルモノラル音声をサブ画面２４ａに定位させることができる。
【０１３６】
（ステレオ音声出力）
一方、ステップＳ４４における判定の結果が「偽」であるとき（ＮＯ）、ＭＰＵ１１は次に、ｓｓ１＝ｓｓ３またはｓｓ２＝ｓｓ３であるか否かを判定する（ステップＳ４８）。ステップＳ４８における判定の結果が「真」であるとき（ＹＥＳ）、ＭＰＵ１１は、決定した値のｓｓ１およびｓｓ２をスピーカ切換器７に出力する（ステップＳ４９）。ここで、ｓｓ１の値は「７」であり、ｓｓ２の値は「９」だとする。ｓｓ３については決定した値を破棄し、「０」の値としてスピーカ切換器７に出力する（ステップＳ５０）。
【０１３７】
ＭＰＵ１１は、音声出力選択器２８ａに対し、Ｌ＋Ｃ／√２を選択して出力することを指示する。これにより音声出力選択器２８ａは、入力された音声信号（Ｌｃｈ、およびＬ＋Ｃ／√２）のうち、Ｌ＋Ｃ／√２を増幅器２０ａに出力する（ステップＳ５１）。また、ＭＰＵ１１は、音声出力選択器２８ｂに対し、Ｒ＋Ｃ／√２を選択して出力することを指示する。これにより音声出力選択器２８ｂは、入力された音声信号（Ｒｃｈ、およびＲ＋Ｃ／√２）のうち、Ｒ＋Ｃ／√２を増幅器２０ｂに出力する（ステップＳ５１）。
【０１３８】
したがってスピーカ切換器７には、増幅後のＬ＋Ｃ／√２、およびＲ＋Ｃ／√２が入力される。スピーカ切換器７は、入力されたｓｓ１に基づき、Ｌ＋Ｃ／√２を出力すべきスピーカを選択する。ｓｓ１の値は「７」なので、スピーカｓ７を選択する。また、スピーカ切換器７は、入力されたｓｓ２に基づき、Ｒ＋Ｃ／√２を出力すべきスピーカを選択する。ｓｓ２の値は「９」なので、スピーカｓ９を選択する。なお、ｓｓ３の値は「０」なので、Ｃｃｈを出力するスピーカを選択しない（ＯＦＦ）。
【０１３９】
以上の処理によって、テレビジョン装置１ｄは、サブ画面２４ｂに映像を表示しつつ、当該映像に対応したステレオ音声をスピーカｓ７およびｓ９を通じて出力する。したがってテレビジョン装置１ｄは、２チャンネルのステレオ音声をサブ画面２４ａに定位させることができる。
【０１４０】
（ステレオ音声およびセンター音声の出力）
一方、ステップＳ４８における判定の結果が「偽」であるとき（ＮＯ）、ＭＰＵ１１は、決定した値のｓｓ１、ｓｓ２、およびｓｓ３をそれぞれスピーカ切換器７に出力する（ステップＳ５２）。さらに、ＭＰＵ１１は、音声出力選択器２８に対し、Ｌｃｈを選択して出力することを指示する。これにより音声出力選択器２８は、入力された音声信号（Ｌｃｈ、およびＬ＋Ｃ／√２）のうち、Ｌｃｈを増幅器２０ａに出力する（ステップＳ５３）。また、ＭＰＵ１１は、音声出力選択器２８ｂに対し、Ｒｃｈを選択して出力することを指示する。これにより音声出力選択器２８ｂは、入力された音声信号（Ｒｃｈ、およびＲ＋Ｃ／√２）のうち、Ｒｃｈを増幅器２０ａに出力する（ステップＳ５３）。また、ＭＰＵ１１は、音声出力選択器２８ｃに対し、Ｃｃｈを選択して出力することを指示する。これにより音声出力選択器２８ｃは、入力された音声信号（Ｃｃｈ、およびＬ＋Ｒ＋Ｃ）のうち、Ｃｃｈを増幅器２０ｃに出力する（ステップＳ５３）。
【０１４１】
したがってスピーカ切換器７には、増幅後のＬｃｈ、Ｒｃｈ、およびＣｃｈが入力される。スピーカ切換器７は、入力されたｓｓ１、ｓｓ２、およびｓｓ３に基づき、Ｌｃｈ、Ｒｃｈ、およびＣｃｈを出力すべきスピーカを個別に選択する。以降の処理は図１５と同様なので、詳細な説明を省略する。
【０１４２】
以上の処理によって、テレビジョン装置１ｄは、サブ画面２４に映像を表示しつつ、当該映像に対応したステレオ音声およびセンター音声を、スピーカｓ７、ｓ９、およびスピーカｓ１０を通じて出力する。したがってテレビジョン装置１ｄは、３チャンネルのステレオ音声をサブ画面２４ａに定位させることができる。
【０１４３】
（作用効果）
以上の処理によって、テレビジョン装置１ｄは、サブ画面２４のサイズに応じた種類の音声を出力する。したがって、サブ画面２４のサイズが変更されても、出力音声の定位を正常に保つことができる。
【０１４４】
〔実施形態６〕
本発明に係る第６の実施形態について、図２１〜図２３を参照して以下に説明する。なお、上述した第１〜第５の実施形態と共通する各部材には同じ符号を付し、詳細な説明を省略する。
【０１４５】
（テレビジョン装置１ｅの要部構成）
図２１は、本発明の一実施形態に係るテレビジョン装置１ｅの要部構成を示すブロック図である。この図に示すように、テレビジョン装置１ｅは、図１に示す各部材に加え、増幅器２０ａ〜２０ｅ、音声出力選択器２８ａおよび２８ｂ、混合器３０ａおよび３０ｂ、ならびにスピーカｓ１〜ｓ１２を備えている。増幅器２０ａ〜２０ｅは、増幅部６を構成する。スピーカｓ１〜ｓ１２はスピーカ群８を構成し、いずれもスピーカ切換器７に接続されている。
【０１４６】
（５チャンネル音声の出力）
図２２は、本発明のテレビジョン装置１ｅが、入力された５チャンネルの音声をサブ画面２４に定位させている様子を示す図である。この図に示すように、テレビジョン装置１ｅは、サブ画面２４の映像に対応するステレオ音声をスピーカｓ７およびｓ１１から出力している。また、当該映像に対応するセンター音声を、スピーカｓ９から出力している。さらに、当該映像に対応するサラウンド音声を、スピーカｓ６およびスピーカｓ１２から出力している。その他のスピーカ（ｓ１〜ｓ５、ｓ８、ｓ１０）からは、音声を出力していない。これによりテレビジョン装置１ｅは、サブ画面２４に映像に対応した５チャンネル音声を、サブ画面２４に定位させている。
【０１４７】
（音声信号の合成）
混合器３０ａは、Ｌｃｈ、およびサブ画面左サラウンド音声信号（ＳＬｃｈ）の入力を受ける。ＳＬｃｈは、サブ画面２４の映像に対応する５チャンネル音声のうち、左側のサラウンド音声を表す信号である。混合器３０ａは、入力されたＬｃｈおよびＳＬｃｈを混合して一つの音声信号（Ｌ＋ＳＬ）を生成し、音声出力選択器２８ａに出力する。音声出力選択器２８ａには、Ｌｃｈも入力される。音声信号選択部５は、ＭＰＵ１１からの指示に基づき、入力された２つの音声信号（Ｌｃｈ、およびＬ＋ＳＬ）のうちいずれかを選択して増幅器２０ａに出力する。
【０１４８】
混合器３０ｂは、Ｒｃｈ、およびサブ画面左サラウンド音声信号（ＳＲｃｈ）の入力を受ける。ＳＬｃｈは、サブ画面２４の映像に対応する５チャンネル音声のうち、左側のサラウンド音声を表す信号である。混合器３０ｂは、入力されたＲｃｈおよびＳＲｃｈを混合して一つの音声信号（Ｒ＋ＳＲ）を生成し、音声出力選択器２８ｂに出力する。音声出力選択器２８ｂには、Ｒｃｈも入力される。音声信号選択部５ｂは、ＭＰＵ１１からの指示に基づき、入力された２つの音声信号（Ｒｃｈ、およびＲ＋ＳＲ）のうちいずれかを選択して増幅器２０ｂに出力する。
【０１４９】
（音声信号の増幅）
増幅器２０ｃは、Ｃｃｈの入力を受け、増幅してスピーカ切換器７に出力する。増幅器２０ｄは、ＳＬｃｈの入力を受け、増幅してスピーカ切換器７に出力する。増幅器２０ｅは、ＳＲｃｈの入力を受け、増幅してスピーカ切換器７に出力する。
【０１５０】
（スピーカ選択処理）
スピーカ切換器７は、ＭＰＵ１１から入力されるスピーカ切換値ｓｓ１〜ｓｓ５に基づき、スピーカを３つまたは５つ選択する。ＭＰＵ１１は、ＳＩＺＥおよびＰＯＳの入力を受け付け、これらに基づきｓｓ１〜ｓｓ５を算出してスピーカ切換器７に出力する。
【０１５１】
このスピーカ選択処理について、より詳細に説明する。図２３は、本発明のテレビジョン装置１ｅが実行するスピーカ選択処理の流れを示すＭＰＵ１１のフローチャート図である。図２３に示すステップＳ６１の処理（ｓｓ１、ｓｓ２、およびｓｓ３の決定）は、図１５に示すステップＳ３１〜Ｓ３３の処理と同様であるため、詳細な説明を省略する。ｓｓ１、ｓｓ２、およびｓｓ３を決定したら、ＭＰＵ１１は、次に、ｓｓ１＞１かつｓｓ２＜１２であるか否かを判定する（ステップＳ６２）。
【０１５２】
（３チャンネル音声出力）
ステップＳ６２における判定の結果が「偽」であるとき（ＮＯ）、ＭＰＵ１１は、決定した値のｓｓ１、ｓｓ２、およびｓｓ３をスピーカ切換器７に出力する（ステップＳ６３）。ここで、ｓｓ１の値は「７」であり、ｓｓ２の値は「１２」だとする。ｓｓ４およびｓｓ５については「０」の値としてスピーカ切換器７にそれぞれ出力する（ステップＳ５０）。
【０１５３】
ＭＰＵ１１は、音声出力選択器２８ａに対し、Ｌ＋ＳＬを選択して出力することを指示する。これにより音声出力選択器２８ａは、入力された音声信号（Ｌｃｈ、およびＬ＋ＳＬ）のうち、Ｌ＋ＳＬを増幅器２０ａに出力する（ステップＳ６８）。また、ＭＰＵ１１は、音声出力選択器２８ｂに対し、Ｒ＋ＳＲを選択して出力することを指示する。これにより音声出力選択器２８ｂは、入力された音声信号（Ｒｃｈ、およびＲ＋ＳＲ）のうち、Ｒ＋ＳＲを増幅器２０ｂに出力する（ステップＳ６８）。
【０１５４】
したがってスピーカ切換器７には、増幅後のＬ＋ＳＬ、Ｒ＋ＳＲ、Ｃｃｈ、ＳＬｃｈ、およびＳＲｃｈが入力される。スピーカ切換器７は、入力されたｓｓ１に基づき、Ｌ＋ＳＬを出力すべきスピーカを選択する。ｓｓ１の値は「７」なので、スピーカｓ７を選択する。また、スピーカ切換器７は、入力されたｓｓ２に基づき、Ｒ＋ＳＲを出力すべきスピーカを選択する。ｓｓ２の値は「１２」なので、スピーカｓ１２を選択する。また、スピーカ切換器７は、入力されたｓｓ３に基づき、Ｃｃｈを出力する対象のスピーカを選択する。ｓｓ３の値は「９」なので、スピーカｓ９を選択する。一方、入力されたｓｓ４およびｓｓ５の値はいずれも「０」なので、スピーカ切換器７は、ＳＬｃｈを出力する対象のスピーカも、ＳＲｃｈを出力する対象のスピーカも選択しない。
【０１５５】
以上の処理によって、テレビジョン装置１ｅは、サブ画面２４の映像に対応する３チャンネルのステレオ音声を、サブ画面２４に定位させることができる。
【０１５６】
（５チャンネル音声の出力）
ステップＳ６２における判定の結果が「真」であるとき（ＹＥＳ）、ＭＰＵ１１は、決定した値のｓｓ１、ｓｓ２、およびｓｓ３をスピーカ切換器７に出力する（ステップＳ６３）。ここで、ｓｓ１の値は「７」であり、ｓｓ２の値は「９」であり、ｓｓ３の値は「１１」だとする。
【０１５７】
次にＭＰＵ１１は、スピーカ切換値ｓｓ４およびｓｓ５を算出する。ｓｓ４の値として、ｓｓ１よりも１つの小さい「６」を決定する。一方、ｓｓ５の値として、ｓｓ２よりも１つ大きい「１２」を決定する。ＭＰＵ１１は、決定したｓｓ４およびｓｓ５をそれぞれスピーカ切換器７に出力する（ステップＳ６４）。
【０１５８】
ＭＰＵ１１は、音声出力選択器２８ａに対し、Ｌｃｈを選択して出力することを指示する。これにより音声出力選択器２８ａは、入力された音声信号（Ｌｃｈ、およびＬ＋ＳＬ）のうち、Ｌｃｈを増幅器２０ａに出力する（ステップＳ６５）。また、ＭＰＵ１１は、音声出力選択器２８ｂに対し、Ｒｃｈを選択して出力することを指示する。これにより音声出力選択器２８ｂは、入力された音声信号（Ｒｃｈ、およびＲ）のうち、Ｒｃｈを増幅器２０ｂに出力する（ステップＳ６５）。
【０１５９】
したがってスピーカ切換器７には、増幅後のＬｃｈ、Ｒｃｈ、Ｃｃｈ、ＳＬｃｈ、およびＳＲｃｈが入力される。スピーカ切換器７は、入力されたｓｓ１に基づき、Ｌｃｈを出力すべきスピーカを選択する。ｓｓ１の値は「７」なので、スピーカｓ７を選択する。また、スピーカ切換器７は、入力されたｓｓ２に基づき、Ｒｃｈを出力すべきスピーカを選択する。ｓｓ２の値は「１１」なので、スピーカｓ１１を選択する。
【０１６０】
さらにスピーカ切換器７は、入力されたｓｓ３に基づき、Ｃｃｈを出力する対象のスピーカを選択する。ｓｓ３の値は「９」なので、スピーカｓ１１を選択する。また、スピーカ切換器７は、入力されたｓｓ４に基づき、ＳＬｃｈを出力すべきスピーカを選択する。ｓｓ４の値は「６」なので、スピーカｓ６を選択する。また、スピーカ切換器７は、入力されたｓｓ５に基づき、ＳＲｃｈを出力すべきスピーカを選択する。ｓｓ５の値は「１２」なので、スピーカｓ１２を選択する。
【０１６１】
以上の処理によって、テレビジョン装置１ｅは、サブ画面２４に映像を表示しつつ、当該映像に対応した５チャンネルのステレオ音声をスピーカｓ６、ｓ７、ｓ９、ｓ１１、およびｓ１２を通じて出力する。これによりテレビジョン装置１ｅは、サブ画面２４の映像に対応する５チャンネルの音声を、サブ画面２４に定位させることができる。
【０１６２】
（作用効果）
以上の処理によって、テレビジョン装置１ｅは、サブ画面の位置に応じて、可能な場合のみ、サラウンドチャンネルの広がりを持たせることができ、広がりを持たせることが出来ない場合でも、音の成分を捨てることなく再生することができる。
【０１６３】
〔実施形態７〕
本発明に係る第７の実施形態について、図２４〜図２６を参照して以下に説明する。なお、上述した第１〜第６のいずれかの実施形態と共通する各部材には同じ符号を付し、詳細な説明を省略する。
【０１６４】
（テレビジョン装置１ｆの要部構成）
図２４は、本発明の一実施形態に係るテレビジョン装置１ｆの要部構成を示すブロック図である。この図に示すように、テレビジョン装置１ｆは、図１に示す各部材に加え、増幅器２０ａ、増幅器２０ｂ、およびスピーカｓ１〜ｓ１２を備えている。増幅器２０ａおよび増幅器２０ｂは増幅部６を構成する。スピーカｓ１〜ｓ１２はスピーカ群８を構成し、いずれもスピーカ切換器７に接続されている。
【０１６５】
（ステレオ音声またはモノラル音声の出力）
図２５は、本発明のテレビジョン装置１ｆが、ステレオ音声またはモノラル音声をサブ画面２４に定位させている様子を示す図である。
【０１６６】
テレビジョン装置１ｆは、サブ画面２４の映像にステレオ音声が対応する場合、当該ステレオ音声を、スピーカｓ７およびスピーカｓ１１から選択的に出力する。その他のスピーカ（ｓ１〜ｓ６、ｓ８〜ｓ１０、およびｓ１２）からは、音声信号を出力しない。これにより映像に対応するステレオ音声を、サブ画面２４に定位させている。
【０１６７】
一方、テレビジョン装置１ｆは、サブ画面２４の映像にモノラル音声が対応する場合、当該モノラル音声を、スピーカｓ９から選択的に出力する。その他のスピーカ（ｓ１〜ｓ８、およびｓ１０〜ｓ１２）からは、音声信号を出力しない。これにより映像に対応するモノラル音声を、サブ画面２４に定位させている。
【０１６８】
（ステレオ音声の定位）
ステレオ音声の定位を実現する処理をより具体的に説明する。まず増幅器２０ａはＬｃｈの入力を受ける。一方、増幅器２０ｂはＲｃｈの入力を受ける。増幅器２０ａは、入力されたＬｃｈの振幅を増幅させ、スピーカ切換器７に出力する。スピーカ切換器７は、サブ画面左音声を出力すべきスピーカとしてスピーカｓ７を選択し、当該選択したスピーカｓ７にＬｃｈを出力する。こうしてスピーカｓ７は、入力されたＬｃｈが表すサブ画面左音声（左チャンネル音声）を出力する。
【０１６９】
増幅器２０ｂは、入力されたＲｃｈの振幅を増幅させ、スピーカ切換器７に出力する。スピーカ切換器７は、サブ画面右音声を出力すべきスピーカとしてスピーカｓ１１を選択し、当該選択したスピーカｓ１１にＲｃｈを出力する。こうしてスピーカｓ１１は、入力されたＲｃｈが表す右サブ画面右音声（右チャンネル音声）を出力する。
【０１７０】
以上により、テレビジョン装置１ｆは、サブ画面２４の映像に対応したステレオ音声を、スピーカｓ７およびｓ１１から出力する。
【０１７１】
（モノラル音声の定位）
モノラル音声の定位を実現する処理を具体的に説明する。まず増幅器２０ａはＭＯＮＯの入力を受ける。一方、増幅器２０ｂには何の音声信号も入力されない。増幅器２０は、入力されたＭＯＮＯを増幅し、スピーカ切換器７に出力する。スピーカ切換器７は、モノラル音声を出力すべきスピーカとしてスピーカｓ９を選択し、当該選択したスピーカｓ９にＭＯＮＯを出力する。こうしてスピーカｓ９は、入力されたＭＯＮＯが表す音声を出力する。
【０１７２】
以上により、テレビジョン装置１ｆは、サブ画面２４の映像に対応したモノラル音声をスピーカｓ９から出力する。
【０１７３】
（スピーカ選択処理）
スピーカ切換器７は、ＭＰＵ１１から入力されるスピーカ切換値ｓｓ１およびｓｓ２に基づき、スピーカを１つまたは２つ選択する。ＭＰＵ１１は、ＳＩＺＥおよびＰＯＳの入力、および、ＣＨＮ（サブ画面の音声信号チャンネル数を表す情報）を受け付け、これらに基づきｓｓ１およびｓｓ２を算出してスピーカ切換器７に出力する。
【０１７４】
このスピーカ選択処理について、より詳しく説明する。図２６は、本発明のテレビジョン装置１ｆが実行するスピーカ選択処理の流れを示すＭＰＵ１１のフローチャート図である。この図に示すように、まずＭＰＵ１１は、送られたＳＩＺＥおよびＰＯＳのうち、サブ画面２４の左上の座標ｘ＿ｓと横幅Δｘ＿ｓとの情報を取得する（ステップＳ７１）。
【０１７５】
（モノラル音声定位）
つぎに、ＭＰＵ１１は、サブ画面２４の映像に対応する音声信号のチャンネル数が１チャンネル（モノラル音声）か否かを判定する（ステップＳ７２）。ステップＳ７２における判定の結果が「真」であるとき（ＹＥＳ）、ＭＰＵ１１は、入力された信号に基づき、ｘ＿ｓ＋Δｘ＿ｓ／２を求める（ステップＳ７３）。ＭＰＵ１１は、求めた値に基づき１つのスピーカ切換値ｓｓ１を決定する（ステップＳ７４）。具体的には、ｘ＿ｓ＋Δｘ＿ｓ／２に関連付けられているスピーカ切換値をスピーカ選択テーブル２６から選択し、ｓｓ２として決定する。本実施形態では、ｓｓ２の値は「９」である。
【０１７６】
ＭＰＵ１１は、決定したｓｓ１をスピーカ切換器７に出力する（ステップＳ７５）。なお、ｓｓ２としては「０」をスピーカ切換器７に出力する（ステップＳ７６）。ｓｓ１は「９」なので、スピーカ切換器７は、ＭＯＮＯの出力先としてスピーカｓ９を選択する。
【０１７７】
以上の処理によって、テレビジョン装置１ｆは、サブ画面２４に映像を表示しつつ、当該映像に対応したモノラル音声をスピーカｓ９を通じて出力する。スピーカｓ９の位置はサブ画面２４の中央直下にある。したがってテレビジョン装置１ｆは、モノラル音声をサブ画面２４に定位させることができる。
【０１７８】
（ステレオ音声定位）
ＭＰＵ１１は、ステップＳ７２における判定の結果が「偽」であるとき（ＮＯ）、ステップＳ７７の処理を実行する。ステップＳ７７〜Ｓ８０までの処理は、図８に示すステップＳ１２〜Ｓ１５までの処理と同様なので、詳細な説明を省略する。これらの処理によって、テレビジョン装置１ｆは、サブ画面２４に映像に対応するステレオ音声を、サブ画面２４に定位させることができる。
【０１７９】
（作用効果）
以上の処理によって、テレビジョン装置１ｆは、サブ画面２４の映像に対応する音声信号のチャンネル数に応じて、音声信号を出力するスピーカを最適なものに柔軟に切り替える。これによりテレビジョン装置１ｆは、サブ画面２４の映像に対応する音声のチャンネル数が変更されても、出力音声の定位を正常に保つことができる。
【０１８０】
〔実施形態８〕
本発明に係る第８の実施形態について、図２７〜図２９を参照して以下に説明する。なお、上述した第１〜第７のいずれかの実施形態と共通する各部材には同じ符号を付し、詳細な説明を省略する。
【０１８１】
（テレビジョン装置１ｇの要部構成）
図２７は、本発明の一実施形態に係るテレビジョン装置１ｇの要部構成を示すブロック図である。この図に示すように、テレビジョン装置１ｇは、図１に示す各部材に加え、増幅器２０ａ、増幅器２０ｂ、増幅器２０ｃ、および１２個のスピーカｓ１〜ｓ１２を備えている。増幅器２０ａ〜２０ｃは、増幅部６を構成する。スピーカｓ１〜ｓ１２はスピーカ群８を構成し、いずれもスピーカ切換器７に接続されている。
【０１８２】
（音声の出力）
図２８は、本発明のテレビジョン装置１ｇが、入力された３チャンネルステレオ音声（ステレオ音声およびセンター音声）、または、ステレオ音声またはモノラル音声をサブ画面２４に定位させている様子を示す図である。テレビジョン装置１ｇは、サブ画面２４の映像に３チャンネルステレオ音声が対応する場合、当該ステレオ音声を、スピーカｓ７、ｓ９、およびｓ１１から選択的に出力する。具体的には、左チャンネル音声をスピーカｓ７から出力し、中央チャンネル音声をスピーカｓ９から出力し、右チャンネル音声をスピーカｓ１１から出力する。その他のスピーカ（ｓ１〜ｓ６、ｓ８、ｓ１０、およびｓ１２）からは、音声信号を出力しない。これにより、映像に対応する３チャンネルステレオ音声をサブ画面２４に定位させている。
【０１８３】
一方、テレビジョン装置１ｇは、サブ画面２４の映像に２チャンネルステレオ音声が対応する場合、当該ステレオ音声を、スピーカｓ７およびｓ１１から選択的に出力する。具体的には、左チャンネル音声をスピーカｓ７から出力し、右チャンネル音声をスピーカｓ１１から出力する。その他のスピーカ（ｓ１〜ｓ６、ｓ８〜ｓ１０、およびｓ１２）からは、音声信号を出力しない。これにより、映像に対応する２チャンネルステレオ音声をサブ画面２４に定位させている。
【０１８４】
一方、テレビジョン装置１ｇは、サブ画面２４の映像に１チャンネルモノラル音声が対応する場合、当該モノラル音声を、スピーカｓ９から選択的に出力する。その他のスピーカ（ｓ１〜ｓ８、およびｓ１０〜ｓ１２）からは、音声信号を出力しない。これにより、映像に対応するモノラル音声をサブ画面２４に定位させている。
【０１８５】
（３チャンネルステレオ音声の定位）
３チャンネルステレオ音声の定位を実現する処理をより具体的に説明する。まず増幅器２０ａはＬｃｈの入力を受ける。一方、増幅器２０ｂはＲｃｈの入力を受ける。また、増幅器２０ｃはＣｃｈの入力を受ける。
【０１８６】
増幅器２０ａは、入力されたＬｃｈの振幅を増幅させ、スピーカ切換器７に出力する。スピーカ切換器７は、サブ画面左音声を出力すべきスピーカとしてスピーカｓ７を選択し、当該選択したスピーカｓ７にＬｃｈを出力する。こうしてスピーカｓ７は、入力されたＬｃｈが表す左チャンネル音声を出力する。
【０１８７】
増幅器２０ｂは、入力されたＲｃｈの振幅を増幅させ、スピーカ切換器７に出力する。スピーカ切換器７は、右チャンネル音声を出力すべきスピーカとしてスピーカｓ１１を選択し、当該選択したスピーカｓ１１にＲｃｈを出力する。こうしてスピーカｓ１１は、入力されたＲｃｈが表す右チャンネル音声を出力する。
【０１８８】
増幅器２０ｃは、入力されたＣｃｈの振幅を増幅させ、スピーカ切換器７に出力する。スピーカ切換器７は、中央チャンネル音声を出力すべきスピーカとしてスピーカｓ９を選択し、当該選択したスピーカｓ９にＣｃｈを出力する。こうしてスピーカｓ９は、入力されたＣｃｈが表す中央チャンネル音声を出力する。
【０１８９】
以上によりテレビジョン装置１ｇは、サブ画面２４の映像に対応した３チャンネルステレオ音声を、スピーカｓ７、ｓ９、およびｓ１１から出力することによって、当該音声をサブ画面２４に定位させる。
【０１９０】
（２チャンネルステレオ音声の定位）
２チャンネルステレオ音声の定位を実現する処理をより具体的に説明する。まず増幅器２０ａはＬｃｈの入力を受ける。一方、増幅器２０ｂはＲｃｈの入力を受ける。増幅器２０ａは、入力されたＬｃｈの振幅を増幅させ、スピーカ切換器７に出力する。スピーカ切換器７は、サブ画面左音声を出力すべきスピーカとしてスピーカｓ７を選択し、当該選択したスピーカｓ７にＬｃｈを出力する。こうしてスピーカｓ７は、入力されたＬｃｈが表す左チャンネル音声を出力する。
【０１９１】
増幅器２０ｂは、入力されたＲｃｈの振幅を増幅させ、スピーカ切換器７に出力する。スピーカ切換器７は、右チャンネル音声を出力すべきスピーカとしてスピーカｓ１１を選択し、当該選択したスピーカｓ１１にＲｃｈを出力する。こうしてスピーカｓ１１は、入力されたＲｃｈが表す右チャンネル音声を出力する。
【０１９２】
以上により、テレビジョン装置１ｇは、サブ画面２４の映像に対応した２チャンネルステレオ音声を、スピーカｓ７およびｓ１１から出力することによって、当該音声をサブ画面２４に定位させる。
【０１９３】
（モノラル音声の定位）
モノラル音声の定位を実現する処理を具体的に説明する。増幅器２０ａおよび２０ｂには何の音声信号も入力されない。増幅器２０ｃはＭＯＮＯの入力を受ける。増幅器２０ｃは、入力されたＭＯＮＯを増幅し、スピーカ切換器７に出力する。スピーカ切換器７は、モノラル音声を出力すべきスピーカとしてスピーカｓ９を選択し、当該選択したスピーカｓ９にＭＯＮＯを出力する。こうしてスピーカｓ９は、入力されたＭＯＮＯが表すモノラル音声を出力する。
【０１９４】
以上により、テレビジョン装置１ｇは、サブ画面２４の映像に対応したモノラル音声を、スピーカｓ９から出力する。
【０１９５】
（スピーカ選択処理）
スピーカ切換器７は、ＭＰＵ１１から入力されるスピーカ切換値ｓｓ１、ｓｓ２、およびｓｓ３に基づき、スピーカを１つ、２つ、または３つ選択する。ＭＰＵ１１は、ＳＩＺＥおよびＰＯＳ、および、ＣＨＮ（サブ画面の音声信号チャンネル数を表す情報）の入力を受け付け、これらに基づきｓｓ１、ｓｓ２、およびｓｓ３を算出してスピーカ切換器７に出力する。
【０１９６】
このスピーカ選択処理について、より詳しく説明する。図２９は、本発明のテレビジョン装置１ｇが実行するスピーカ選択処理の流れを示すＭＰＵ１１のフローチャート図である。この図に示すように、ＭＰＵ１１は、送られたＳＩＺＥおよびＰＯＳのうち、サブ画面２４の左上の座標ｘ＿ｓと横幅Δｘ＿ｓとの情報を取得する（Ｓ８１）。つぎに、ＭＰＵ１１は、サブ画面２４の映像に対応する音声信号のチャンネル数を判定する（ステップＳ８２）。ステップＳ８２において、チャンネル数を「１」だと判定したとき、ＭＰＵ１１は、入力された信号に基づき、ｘ＿ｓ＋Δｘ＿ｓ／２を求める（ステップＳ８３）。ＭＰＵ１１は、求めた値に基づき１つのスピーカ切換値ｓｓ３を決定する（ステップＳ８４）。具体的には、ｘ＿ｓ＋Δｘ＿ｓ／２に関連付けられているスピーカ切換値をスピーカ選択テーブル２６から選択し、ｓｓ３として決定する。本実施形態では、ｓｓ３の値は「９」である。
【０１９７】
ＭＰＵ１１は、ｓｓ１およびｓｓ２として「０」をスピーカ切換器７に出力する（ステップＳ８５）。さらに、決定したｓｓ３をスピーカ切換器７に出力する（ステップＳ８６）。ｓｓ１は「９」なので、スピーカ切換器７は、ＭＯＮＯの出力先としてスピーカｓ９を選択する。
【０１９８】
以上の処理によって、テレビジョン装置１ｇは、サブ画面２４に映像を表示しつつ、当該映像に対応したモノラル音声をスピーカｓ９を通じて出力する。スピーカｓ９の位置はサブ画面２４の中央直下にある。したがってテレビジョン装置１ｇは、モノラル音声をサブ画面２４に定位させることができる。
【０１９９】
（２チャンネルステレオ音声定位）
ＭＰＵ１１は、ステップＳ８２において、チャンネル数を「２」だと判定した場合、ステップＳ８７〜Ｓ８９の処理を実行する。これらの処理は、図８に示すステップＳ１２〜Ｓ１４の処理と同様なので、詳細な説明を省略する。ステップＳ８９の処理を終了したあと、ＭＰＵ１１は、ｓｓ３として「０」をスピーカ切換器７に出力する（ステップＳ８５）。
【０２００】
スピーカ切換器７は、入力されたｓｓ１に基づき、Ｌｃｈを出力する対象のスピーカを選択する。ここではｓｓ１が「７」なので、Ｌｃｈの出力先としてスピーカｓ７を選択する。さらにスピーカ切換器７は、入力されたｓｓ２に基づき、Ｒｃｈを出力する対象のスピーカを選択する。ｓｓ２は「１１」なので、Ｒｃｈの出力先としてスピーカｓ１１を選択する。したがってスピーカ切換器７は、Ｌｃｈをスピーカｓ７に出力し、一方、Ｒｃｈをスピーカｓ１１に出力する。
【０２０１】
以上の処理によって、テレビジョン装置１ｇは、サブ画面２４に映像を表示しつつ、当該映像に対応したステレオ音声をスピーカｓ７およびスピーカｓ１１を通じて出力する。スピーカｓ７の位置はサブ画面２４の左端直下であり、スピーカｓ１１はサブ画面２４の右端直下である。したがってテレビジョン装置１ｇは、ステレオ音声をサブ画面２４に定位させることができる。
【０２０２】
（３チャンネルステレオ音声定位）
ＭＰＵ１１は、ステップＳ８２においてチャンネル数を「３」だと判定した場合、ステップＳ９１〜Ｓ９４までの処理を実行する。これらの処理は、図１５に示すステップＳ３２〜Ｓ３５までの処理と同様なので、詳細な説明を省略する。これらの処理を実行することによって、テレビジョン装置１ｇは、サブ画面２４に映像に対応する３チャンネルステレオ音声を、サブ画面２４に定位させることができる。
【０２０３】
（作用効果）
以上の処理によって、テレビジョン装置１ｇは、サブ画面２４の映像に対応する音声信号のチャンネル数に応じて、音声信号を出力するスピーカを最適なもの柔軟に切り替える。これによりテレビジョン装置１ｇは、サブ画面２４の映像に対応する音声のチャンネル数が「１」、「２」、および「３」のいずれに変更されても、出力音声の定位を正常に保つことができる。
【０２０４】
〔実施形態９〕
本発明に係る第９の実施形態について、図３０〜図３７を参照して以下に説明する。なお、上述した第１〜第８のいずれかの実施形態と共通する各部材には同じ符号を付し、詳細な説明を省略する。
【０２０５】
（テレビジョン装置１ｈの構成）
本実施形態のテレビジョン装置１ｈの内部構成は、基本的に、第３の実施形態にかかるテレビジョン装置１ｂと同様である。そのため、詳細な説明を省略する。
【０２０６】
（ステレオ音声の出力）
テレビジョン装置１ｈは、サブ画面２４の映像に対応したステレオ音声を、サブ画面２４に定位させる。
【０２０７】
（音声の広がり感と音像が画面内に定位する視聴位置の広さをバランスよく両立させることを目指す）
図３０は、本実施形態のテレビジョン装置１ｈが、サブ画面２４の左右端に接する上下方向の直線にそれぞれ接する２つのスピーカに、ステレオ音声を出力している様子を示す図である。この図の例では、テレビジョン装置１ｈは、ステレオ音声を構成する左チャンネル音声を出力するスピーカとして、サブ画面２４の左端に接する上下方向の直線に最も近いスピーカを選択する。一方、右チャンネル音声を出力するスピーカとして、サブ画面２４の右端の接する上下方向の直線に最も近いスピーカを選択する。これらの選択によって、ステレオ音声の左右の広がり感と、映像の位置と音声の定位位置とが一致する視聴位置の広さとを、バランスよく両立させることを目指す。
【０２０８】
（スピーカ選択テーブル２６ａ）
テレビジョン装置１ｈは、図３１に示すスピーカ選択テーブル２６ａを用いることによって、上述したスピーカ選択を実現する。図３１は、本実施形態のテレビジョン装置１ｈが用いるスピーカ選択テーブル２６ａを表す図である。例えば、スピーカ選択テーブル２６ａに格納された情報は、図５に示すスピーカ選択テーブル２６と同様である。スピーカ選択テーブル２６ａは、ＭＰＵ１０の内部に格納されている。
【０２０９】
（音声の広がり感を重視）
図３２は、本実施形態のテレビジョン装置１ｈが、サブ画面２４の左右端に接する上下方向の直線よりも外側にあり、かつ、当該直線にそれぞれ最も近い２つのスピーカを通じて、ステレオ音声を出力している様子を示す図である。
【０２１０】
この図の例では、テレビジョン装置１ｈは、ステレオ音声を構成する左チャンネル音声を出力するスピーカとして、サブ画面２４の左端に接する上下方向の直線の外側にあり、かつ、当該直線に最も近いスピーカを選択する。一方、右チャンネル音声を出力するスピーカとして、サブ画面２４の右端の接する上下方向の直線の外側にあり、かつ当該直線に最も近いスピーカを選択する。これらのスピーカ選択によって、ステレオ音声の左右の広がりをより一層増すことができる。結果として、視聴者は、テレビジョン装置１ｈの外側に配置されたスピーカからステレオ音声を出力しているかのように感じる。
【０２１１】
（スピーカ選択テーブル２６ｂおよび２６ｃ）
テレビジョン装置１ｈは、図３３に示すスピーカ選択テーブル２６ｂ、および図３４に示すスピーカ選択テーブル２６ｃを用いることによって、上述したスピーカ選択を実現する。図３３は、本実施形態のテレビジョン装置１ｈが用いるスピーカ選択テーブル２６ｂを表す図である。図３４は、本実施形態のテレビジョン装置１ｈが用いるスピーカ選択テーブル２６ｃを表す図である。スピーカ選択テーブル２６ｂおよび２６ｃは、ＭＰＵ１０の内部に格納されている。
【０２１２】
スピーカ選択テーブル２６ｂは、左チャンネル音声を出力するスピーカを選択するためのスピーカ切換値を格納している。したがってＭＰＵ１１は、左チャンネル音声を出力するスピーカを選択するためのスピーカ切換値ｓｓ１を、スピーカ選択テーブル２６ｂから選択する。一方、スピーカ選択テーブル２６ｃは、右チャンネル音声を出力するスピーカを選択するためのスピーカ切換値を格納している。したがってＭＰＵ１１は、右チャンネル音声を出力するスピーカを選択するためのスピーカ切換値ｓｓ２を、スピーカ選択テーブル２６ｃから選択する。
【０２１３】
スピーカ選択テーブル２６ｂおよび２６ｃの構造は、基本的に、スピーカ選択テーブル２６と同一である。ただし、内部に格納されるｘ座標の値が異なる。
【０２１４】
スピーカ選択テーブル２６ｂでは、各スピーカｓ２〜ｓ１１に個別に対応する各スピーカ切換値（２〜１１）に対して、スピーカの中心ｘ座標の値から、当該スピーカの右隣に配置されているスピーカの中心ｘ座標よりも１つ少ない値までが、関連付けられている。ここでいう右側とは、視聴者から見た表示装置２における方向を意味する。
【０２１５】
なお、スピーカ選択テーブル２６ｂでは、スピーカｓ１に対応するスピーカ切換値（１）には、「０」から「２３９」までが、すなわち、表示装置２の左端のｘ座標の値から、スピーカｓ２の中央ｘ座標（２４０）よりも１つ小さい値までが、関連付けられている。一方、スピーカｓ１２に対応するスピーカ切換値（１２）には、スピーカｓ１１の中央ｘ座標の値（１８４０）から、表示装置２の右端のｘ座標の値（１９１９）までが、関連付けられている。
【０２１６】
スピーカ選択テーブル２６ｃでは、各スピーカｓ２〜ｓ１１に個別に対応する各スピーカ切換値（２〜１１）に対して、スピーカの中心ｘ座標よりも１つ大きい値から、当該スピーカの左隣に配置されているスピーカの中心ｘ座標の値までが、関連付けられている。ここでいう左側とは、視聴者から見た表示装置２における方向を意味する。
【０２１７】
なお、スピーカ選択テーブル２６ｃでは、スピーカｓ１に対応するスピーカ切換値（１）には、「０」から「８０」までが、すなわち、表示装置２の左端のｘ座標から、スピーカｓ１の中央ｘ座標の値（８０）までが、関連付けられている。一方、スピーカｓ１２に対応するスピーカ切換値（１２）には、スピーカｓ１１の中央ｘ座標の値（１６８０）よりも一つ大きい値から、表示装置２の右端のｘ座標の値（１９１９）までが、関連付けられている。
【０２１８】
（音像が画面内に定位する視聴位置の広さを重視）
図３５は、本実施形態のテレビジョン装置１ｈが、サブ画面２４の左右端に接する上下方向の直線よりも内側にあり、かつ、当該直線にそれぞれ最も近い２つのスピーカを通じて、ステレオ音声を出力している様子を示す図である。
【０２１９】
この図の例では、テレビジョン装置１ｈは、ステレオ音声を構成する左チャンネル音声を出力するスピーカとして、サブ画面２４の左端に接する上下方向の直線を境としてサブ画面２４側に位置し、かつ、当該直線に最も近いスピーカを選択する。さらに、ステレオ音声を構成する右チャンネル音声を出力するスピーカとして、サブ画面２４の右端に接する上下方向の直線を境としてサブ画面２４側に位置し、かつ、当該直線に最も近いスピーカを選択する。図３５では、左チャンネル音声を出力するスピーカとしてスピーカｓ８を選択し、一方、右チャンネル音声を出力するスピーカとしてスピーカｓ１１を選択している。
【０２２０】
これらのスピーカ選択によって、テレビジョン装置１ｈは、映像の表示位置と音声出力位置とが一致する視聴位置を、より広くすることができる。結果として、視聴者は、テレビジョン装置１ｈの下側に配置されたスピーカからステレオ音声を出力しているかのように感じる。
【０２２１】
（スピーカ選択テーブル２６ｄおよび２６ｅ）
テレビジョン装置１ｈは、図３６に示すスピーカ選択テーブル２６ｄ、および図３７に示すスピーカ選択テーブル２６ｅを用いることによって、上述したスピーカ選択を実現する。図３６は、本実施形態のテレビジョン装置１ｈが用いるスピーカ選択テーブル２６ｄを表す図である。図３７は、本実施形態のテレビジョン装置１ｈが用いるスピーカ選択テーブル２６ｅを表す図である。スピーカ選択テーブル２６ｄおよび２６ｅは、ＭＰＵ１０の内部に格納されている。
【０２２２】
スピーカ選択テーブル２６ｄは、左チャンネル音声を出力するスピーカを選択するためのスピーカ切換値を格納している。したがってＭＰＵ１１は、左チャンネル音声を出力するスピーカを選択するためのスピーカ切換値ｓｓ１を、スピーカ選択テーブル２６ｄから選択する。一方、スピーカ選択テーブル２６ｅは、右チャンネル音声を出力するスピーカを選択するためのスピーカ切換値を格納している。したがってＭＰＵ１１は、右チャンネル音声を出力するスピーカを選択するためのスピーカ切換値ｓｓ２を、スピーカ選択テーブル２６ｅから選択する。
【０２２３】
スピーカ選択テーブル２６ｄおよび２６ｅの構造は、基本的に、スピーカ選択テーブル２６と同一である。ただし、内部に格納されるｘ座標の値が異なる。具体的には、スピーカ選択テーブル２６ｄはスピーカ選択テーブル２６cと同一であり、スピーカ選択テーブル２６ｅはスピーカ選択テーブル２６ｂと同一である。
【０２２４】
〔実施形態１０〕
本発明に係る第１０の実施形態について、図３８〜図４１を参照して以下に説明する。なお、上述した第１〜第９のいずれかの実施形態と共通する各部材には同じ符号を付し、詳細な説明を省略する。
【０２２５】
（テレビジョン装置１ｉの構成）
図３８は、本発明の一実施形態に係るテレビジョン装置１ｉの要部構成を示すブロック図である。この図に示すように、テレビジョン装置１ｉは、図１に示す各部材に加え、増幅器２０ａ、増幅器２０ｂ、増幅器２０ｃ、および１２個のスピーカｓ１〜ｓ１２を備えている。増幅器２０ａ〜２０ｃは、増幅部６を構成する。スピーカｓ１〜ｓ１２はスピーカ群８を構成する。スピーカｓ１〜ｓ１２は、いずれもスピーカ切換器７に接続されている。
【０２２６】
（音声の出力）
図３９は、本発明のテレビジョン装置１ｉが、入力されたモノラル音声をサブ画面２４に定位させている様子を示す図である。テレビジョン装置１ｉは、サブ画面２４の映像に対応するモノラル音声をスピーカｓ８、ｓ９、およびｓ１０から選択的に出力している。なお、テレビジョン装置ｉは、その他のスピーカ（ｓ１〜ｓ７、ｓ１１およびｓ１２）からは、音声信号を出力していない。これにより、サブ画面２４の映像に対応するステレオ音声を、サブ画面２４に定位させている。
【０２２７】
テレビジョン装置１ｉは、必ずしもこれら３つのスピーカを全て用いるのではない。モノラル音声のボリューム値が基準値を下回る場合はスピーカｓ９からのみモノラル音声を出力し、基準値を上回る場合には、スピーカｓ８に加えてスピーカｓ７およびｓ９からもモノラル音声を出力する。これにより、３つのスピーカを同時に用いることによって、１つのスピーカでは出せない大音量のモノラル音声を出力する。
【０２２８】
（音声定位処理）
これらの音声定位を実現する処理を、より具体的に説明する。増幅器２０ａ〜２０ｃは、いずれも、同じＭＯＮＯの入力を受ける。増幅器２０ａは、ＭＰＵ１１から指示に基づきＭＯＮＯを増幅して、スピーカ切換器７に出力する。増幅器２０ｂおよび２０ｃも同様である。
【０２２９】
ＭＰＵ１１は、ボリューム値ＶＯＬに基づき、増幅器２０ａ〜２０ｃに対する指示を決定する。具体的には、ＶＯＬに応じて増幅値ｇ１〜ｇ３を算出し、それぞれ個別に増幅器２０ａ〜２０ｃに出力する。なお、ＶＯＬは、モノラル音声の音量を表す値である。
【０２３０】
（スピーカ選択処理）
スピーカ切換器７は、ＭＰＵ１１から入力されるスピーカ切換値ｓｓ１〜ｓｓ３に基づき、スピーカを１つまたは３つ選択する。ＭＰＵ１１は、ＳＩＺＥおよびＰＯＳの入力を受け、これらに基づきｓｓ１〜ｓｓ３を算出してスピーカ切換器７に出力する。
【０２３１】
このスピーカ選択処理について、より詳しく説明する。図４０は、本発明のテレビジョン装置１ｉが実行するスピーカ選択処理の流れを示すＭＰＵ１１のフローチャート図である。この図に示すように、ＭＰＵ１１は、送られたＳＩＺＥおよびＰＯＳのうち、サブ画面２４の左上の座標ｘ＿ｓと横幅Δｘ＿ｓとの情報を取得する（Ｓ１０１）。つぎにＭＰＵ１１は、入力された信号に基づき、ｘ＿ｓ＋Δｘ＿ｓ／２を求める（ステップＳ１０２）。ＭＰＵ１１は、求めたこれらの値に基づき１つのスピーカ切換値ｓｓ１決定する（ステップＳ１０３）。具体的には、ｘ＿ｓ＋Δｘ＿ｓ／２に関連付けられているスピーカ切換値をスピーカ選択テーブル２６から選択し、ｓｓ１として決定する。
【０２３２】
次にＭＰＵ１１は、ｓｓ２およびｓｓ３の値を決定する（ステップＳ１０４）。具体的には、ｓｓ１が「１」なら、ｓｓ２の値を「０」に決定する。また、ｓｓ１が「１」よりも大きいなら、ｓｓ２をｓｓ１から「１」を引いた値に決定する。さらに、ｓｓ１が「１２」なら、ｓｓ３の値を「０」に決定する。また、ｓｓ１の値が「１２」よりも小さいなら、ｓｓ３を、ｓｓ１に「１」を足した値に決定する。図３９ではｓｓ１の値は「９」なので、ＭＰＵ１１は、ｓｓ２の値として「８」を決定し、一方、ｓｓ３の値として「９」を決定する。ＭＰＵ１１は、決定したｓｓ１〜ｓｓ３をスピーカ切換器７に出力する（ステップＳ１０５）。
【０２３３】
ＭＰＵ１１は、次に、ｇ１〜ｇ３を決定し、出力する（ステップＳ１０６、ステップS１０７）。具体的には、ＭＰＵ１１は、図４１に示すＶＯＬとｇ１〜ｇ３との関係に基づき、入力されたＶＯＬからｇ１〜ｇ３をそれぞれ決定する。図４１は、ＶＯＬとｇ１〜ｇ３との関係を示す図である。
【０２３４】
この図に示すように、ＶＯＬが「０」からある一定の値までは、ＶＯＬに対応するｇ１の値は線形的に上昇し、一方、ＶＯＬに対応するｇ２およびｇ３の値は「０」のままである。すなわち、ＶＯＬが当該一定の値になるまでは、ｇ２に基づく増幅器２０ｂのＭＯＮＯ増幅はゼロであり、ｇ３に基づく増幅器２０ｃのＭＯＮＯ増幅もゼロである。一方、ｇ１に基づく増幅器２０ａのＭＯＮＯ増幅は、ＶＯＬの上昇につれて大きくなる。これによりテレビジョン装置１ｉは、ｇ１に応じたボリュームのモノラル音声を、スピーカｓ９からのみ出力する。スピーカｓ９の両隣のスピーカｓ８およびｓ１０からは音声を出力しない。
【０２３５】
一方、ＶＯＬの値がある一定値を超えると、ｇ１の値は最大値ｆｍａｘに到達してから、この値を保つ。ｆｍａｘは、増幅器２０ａの出力の限界値、または、スピーカｓ９の入力の限界値を示している。そこで、ＶＯＬが当該一定値を超えると、ｇ２およびｇ３の値がそれぞれ線形的に上昇していく。したがって、これによりテレビジョン装置１ｉは、ｇ１に応じた最大ボリュームのモノラル音声をスピーカｓ９から出力すると共に、ｇ２に応じたボリュームのモノラル音声をスピーカｓ８から出力し、さらに、ｇ３に応じたボリュームのモノラル音声をスピーカｓ１０から出力する。
【０２３６】
スピーカ切換器７は、入力されたｓｓ１に基づき、増幅器２０ａから入力されるＭＯＮＯを出力する対象のスピーカを選択する。ｓｓ１の値は「９」なので、スピーカｓ９を選択する。さらに、入力されたｓｓ２に基づき、増幅器２０ｂから入力されるＭＯＮＯを出力する対象のスピーカを選択する。ｓｓ２の値は「８」なので、スピーカｓ８を選択する。さらに、入力されたｓｓ３に基づき、増幅器２０ｃから入力されるＭＯＮＯを出力する対象のスピーカを選択する。ｓｓ３の値は「１０」なので、スピーカｓ１０を選択する。
【０２３７】
（作用効果）
以上の処理によって、テレビジョン装置１ｉは、モノラル音声のボリューム値に応じて、用いるスピーカの数を変える。したがって、モノラル音声の音量が一つのスピーカで出力できる範囲を超えていても、より多くのスピーカを用いることによって、当該音量のモノラル音声を正常に出力できる。
【０２３８】
〔実施形態１１〕
本発明に係る第の実施形態について、図４２〜図４６を参照して以下に説明する。なお、上述した第１〜第１０のいずれかの実施形態と共通する各部材には同じ符号を付し、詳細な説明を省略する。
【０２３９】
（テレビジョン装置１ｊの構成）
図４２は、本発明の一実施形態に係るテレビジョン装置１ｊの要部構成を示すブロック図である。この図に示すように、テレビジョン装置１ｊは、図１に示す各部材に加え、増幅器２０ａ、増幅器２０ｂ、減衰器３２ａ、減衰器３２ｂ、および１２個のスピーカｓ１〜ｓ１２を備えている。増幅器２０ａおよび２０ｂは、増幅部６を構成する。スピーカｓ１〜ｓ１２はスピーカ群８を構成する。スピーカｓ１〜ｓ１２は、いずれもスピーカ切換器７に接続されている。
【０２４０】
（音声の出力）
図４３は、本発明のテレビジョン装置１ｊが、入力されたモノラル音声をサブ画面２４に定位させている様子を示す図である。テレビジョン装置１ｊは、サブ画面２４の映像に対応するモノラル音声をスピーカｓ９およびｓ１０から選択的に出力している。なお、テレビジョン装置１ｊは、その他のスピーカ（ｓ１〜ｓ８、ｓ１１、およびｓ１２）からは音声を出力していない。
【０２４１】
テレビジョン装置１ｊは、２つのスピーカからモノラル音声を出力するとき、それぞれのスピーカの位置に応じて出力音量を調整し、これにより２つのスピーカの間にモノラル音声を定位させる。
【０２４２】
（２つのスピーカ間の音声定位処理）
この音声定位を実現する処理を、より具体的に説明する。減衰器３２ａおよび３２ｂは、いずれもＭＯＮＯの入力を受ける。減衰器３２ａは、ＭＰＵ１１による指示に基づき、ＭＯＮＯを減衰して増幅器２０ａに出力する。増幅器２０ａはＭＯＮＯを増幅してスピーカ切換器７に出力する。一方、減衰器３２ｂは、ＭＰＵ１１による指示に基づき、入力ＭＯＮＯを減衰して増幅器２０ｂに出力する。増幅器２０ｂは、ＭＯＮＯを増幅してスピーカ切換器７に出力する。
【０２４３】
ＭＰＵ１１は、ボリューム値ＶＯＬに基づき、増幅器２０ａおよび２０ｂに対する指示を決定する。具体的には、ＶＯＬに応じて減衰値ｇ１およびｇ２を算出し、それぞれ個別に減衰器３２ａおよび３２ｂに出力する。
【０２４４】
（スピーカ選択処理）
スピーカ切換器７は、ＭＰＵ１１から入力されるスピーカ切換値ｓｓ１およびｓｓ２に基づき、スピーカを２つ選択する。ＭＰＵ１１は、ＳＩＺＥおよびＰＯＳの入力を受け、これらに基づきｓｓ１およびｓｓ２を算出してスピーカ切換器７に出力する。
【０２４５】
このスピーカ選択処理について、より詳しく説明する。図４４は、本発明のテレビジョン装置１ｊが実行するスピーカ選択処理の流れを示すＭＰＵ１１のフローチャート図である。この図に示すように、まずＭＰＵ１１は、送られたＳＩＺＥおよびＰＯＳのうち、サブ画面２４の左上の座標ｘ＿ｓと、横幅Δｘ＿ｓとの情報を取得する（ステップＳ１１１）。
【０２４６】
つぎにＭＰＵ１１は、入力された信号に基づき、ｘ＿ｓ＋Δｘ＿ｓ／２を求める（ステップＳ１１２）。ＭＰＵ１１は、求めたこれらの値に基づきスピーカ切換値ｓｓ１およびｓｓ２を決定する（ステップＳ１１３）。具体的には、ｘ＿ｓ＋Δｘ＿ｓ／２に関連付けられているスピーカ切換値を、図４５に示すスピーカ選択テーブル２６ｆから選択し、ｓｓ１およびｓｓ２として決定する。図４５は、本実施形態のテレビジョン装置１ｊが用いるスピーカ選択テーブル２６ｆを表す図である。スピーカ選択テーブル２６ｆはＭＰＵ１０の内部に格納されている。
【０２４７】
スピーカ選択テーブル２６ｆは、モノラル音声を出力するスピーカを選択するための２つのスピーカ切換値をそれぞれ格納している。本実施形態のＭＰＵ１１は、スピーカ選択テーブル２６ｆから、ｓｓ１の値として「９」を、またｓｓ２の値として「１０」を決定する（ステップＳ１１３）。ＭＰＵ１１は、求めたｓｓ１およびｓｓ２をスピーカ切換器７に出力する。（ステップＳ１１４）
ＭＰＵ１１は、次にｇ１およびｇ２を決定する。具体的には、ＭＰＵ１１は、ｘ座標が０〜７９のときは、ｇ１＝０およびｇ２＝１と決定する。一方、ｘ座標が１８４０〜１９１９のときは、ｇ１＝１およびｇ２＝０と決定する。その他の場合は、図４６に示す、所定の参照値とｇ１との関係、および所定の参照値とｇ２との関係に基づき、ｇ１およびｇ２をそれぞれ決定する。図４６は、所定の参照値と、減衰値ｇ１およびｇ２との関係を示す図である。
【０２４８】
図４６の各グラフの横軸は、所定の参照値を示す。一方、縦軸はｇ１またはｇ２の値を示す。そこでＭＰＵ１１は、まず、ｘ＿ｓから当該参照値を求める。本実施形態では、参照値は、サブ画面２４の中心ｘ座標（すなわちｘ＿ｓ＋Δｘ＿ｓ／２）に８０を足して１６０で割った余りである。この図に示すように、参照値とｇ１との関係は、一例として、いわゆる線形減少である。すなわち参照値が増加するほどｇ１の値は減少する。一方、参照値とｇ２との関係は、一例として、いわゆる線形増加である。すなわち参照値が増加するほどｇ１の値も増加する。
【０２４９】
ＭＰＵ１１は、ｘ＿ｓ＋Δｘ＿ｓ／２の値からまず参照値を求め、次に、求めた参照値からｇ１およびｇ２を決定する。参照値が大きいほど、ｇ１の値は小さくなり、ｇ２の値は大きくなる。本実施形態では、ｇ１の値はｇ２の値よりも大きい。ＭＰＵ１１は、決定したｇ１を減衰器３２ａに出力し、ｇ２を減衰器３２ｂに出力する。
【０２５０】
スピーカ切換器７は、入力されたｓｓ１に基づき、増幅器２０ａから入力されるＭＯＮＯを出力する対象のスピーカを選択する。ｓｓ１の値は「９」なので、スピーカｓ９を選択する。さらに、入力されたｓｓ２に基づき、増幅器２０ｂから入力されるＭＯＮＯを出力する対象のスピーカを選択する。ｓｓ２の値は「１０」なので、スピーカｓ１０を選択する。
【０２５１】
（作用効果）
以上の処理によって、テレビジョン装置１ｊは、サブ画面２４ａに映像を表示しつつ、当該映像に対応したモノラル音声をスピーカｓ９およびｓ１０を通じて出力する。スピーカｓ９から出力するモノラル音声は、スピーカｓ１０から出力するモノラル音声よりも大きい。したがって、出力されたモノラル音声は、スピーカｓ９とｓ１０との間のうち、よりスピーカｓ９に近い側に定位する。この位置は、サブ画面２４の略中央に相当する。したがってテレビジョン装置１ｊは、モノラル音声をサブ画面２４のより適切な位置に定位させることができる。
【０２５２】
このように、テレビジョン装置１ｊは、サブ画面２４の略中央にスピーカが配置されていなくても、映像に対応したモノラル音声をサブ画面２４の中のより適切な位置に配置させられる。
【０２５３】
〔実施形態１２〕
本発明に係る第の実施形態について、図４７〜図５１を参照して以下に説明する。なお、上述した第の実施形態と共通する各部材には同じ符号を付し、詳細な説明を省略する。
【０２５４】
（テレビジョン装置１ｋの構成）
図４７は、本発明の一実施形態に係るテレビジョン装置１ｋの要部構成を示すブロック図である。この図に示すように、テレビジョン装置１ｋは、図１に示す各部材に加え、増幅器２０ａ、増幅器２０ｂ、減衰器３２ａ、減衰器３２ｂ、１２個のスピーカｂ＿ｓ１〜ｂ＿ｓ１２、および１２個のスピーカｔ＿ｓ１からｔ＿ｓ１２を備えている。また、テレビジョン装置１ｋは、スピーカ切換器７の代わりに、スピーカ切換器７ａおよびスピーカ切換器７ｂを備えている。
【０２５５】
増幅器２０ａおよび２０ｂは、増幅部６を構成する。スピーカｂ＿ｓ１〜ｂ＿ｓ１２およびｔ＿ｓ１〜ｔ＿ｓ１２は、スピーカ群８を構成する。スピーカｔ＿ｓ１〜ｔ＿ｓ１２は、いずれもスピーカ切換器７ａに接続されている。スピーカｂ＿ｓ１〜ｂ＿ｓ１２は、いずれもスピーカ切換器７ｂに接続されている。
【０２５６】
（音声の出力）
図４８は、本発明のテレビジョン装置１ｋが、入力されたモノラル音声をサブ画面２４に定位させている様子を示す図である。
【０２５７】
この図に示すように、スピーカｔ＿ｓ１〜ｔ＿ｓ１２は、テレビジョン装置１ｋの筐体の上側（表示画面の上）に横並びに配置されている。各スピーカは互いに等間隔に配置され、最も左側のスピーカｔ＿ｓ１は表示画面のほぼ左端付近にあり、最も右側のスピーカｔ＿ｓ１は表示画面のほぼ右側付近にある。つまり１２個のスピーカｔ＿ｓ１〜ｔ＿ｓ１２は、表示画面のｘ軸の全範囲を部分的かつ個別にカバーする形で配置されている。
【０２５８】
一方、スピーカｂ＿ｓ１〜ｂ＿ｓ１２は、テレビジョン装置１ｋの筐体の下側（表示画面の下）に横並びに配置されている。各スピーカは互いに等間隔に配置され、最も左側のスピーカｂ＿ｓ１は表示画面のほぼ左端付近にあり、最も右側のスピーカｂ＿ｓ１は表示画面のほぼ右側付近にある。つまり１２個のスピーカｂ＿ｓ１〜ｂ＿ｓ１２は、表示画面のｘ軸の全範囲を部分的かつ個別にカバーする形で配置されている。
【０２５９】
テレビジョン装置１ｋは、サブ画面２４の映像に対応するモノラル音声を、表示画面の上にあるスピーカｔ＿ｓ９、および表示画面の下にあるｂ＿ｓ９から、選択的に出力している。なお、テレビジョン装置１ｋは、その他のスピーカ（ｔ＿ｓ１〜ｔ＿ｓ８、ｔ＿ｓ１０〜ｔ＿ｓ１２、ｂ＿ｓ１〜ｂ＿ｓ８、およびｂ＿ｓ１０〜ｂ＿ｓ１２）からは、音声信号を出力していない。
【０２６０】
テレビジョン装置１ｋは、２つのスピーカからモノラル音声を出力するとき、サブ画面２４の位置に応じて各スピーカを選択的に出力し、これによりサブ画面２４の横軸の中央付近にモノラル音声を定位させる。
【０２６１】
（上下方向の音声定位処理）
この音声定位を実現する処理を、より具体的に説明する。減衰器３２ａおよび３２ｂは、いずれもＭＯＮＯの入力を受ける。減衰器３２ａは、ＭＰＵ１１による指示に基づき、ＭＯＮＯを減衰して増幅器２０ａに出力する。増幅器２０ａはＭＯＮＯを増幅してスピーカ切換器７ａに出力する。一方、減衰器３２ｂは、ＭＰＵ１１による指示に基づき、入力ＭＯＮＯを減衰して増幅器２０ｂに出力する。増幅器２０ｂは、ＭＯＮＯを増幅してスピーカ切換器７ｂに出力する。
【０２６２】
ＭＰＵ１１は、ＳＩＺＥおよびＰＯＳに基づき、減衰器３２ａおよび３２ｂに対する指示を決定する。具体的には、ＳＩＺＥおよびＰＯＳに基づき減衰値ｔ＿ｇを算出し、減衰器３２ａに出力する。一方、ＳＩＺＥおよびＰＯＳに基づき増幅値ｂ＿ｇを決定し、減衰器３２ｂに出力する。
【０２６３】
（スピーカ選択処理）
スピーカ切換器７ａおよび７ｂは、ＭＰＵ１１から入力されるスピーカ切換値に基づき、それぞれスピーカを１つ選択する。ＭＰＵ１１は、ＳＩＺＥおよびＰＯＳの入力を受け、これらに基づきｓｓ１を決定してスピーカ切換器７ａおよび７ｂに出力する。
【０２６４】
このスピーカ選択処理について、より詳しく説明する。図４９は、本発明のテレビジョン装置１ｋが実行するスピーカ選択処理の流れを示すＭＰＵ１１のフローチャート図である。この図に示すように、まずＭＰＵ１１は、送られたＳＩＺＥおよびＰＯＳのうち、サブ画面２４の左上の座標ｘ＿ｓおよびｙ＿ｓと、横幅Δｘ＿ｓと、横幅Δｙ＿ｓとの情報を取得する（ステップＳ１２１）。つぎにＭＰＵ１１は、入力された信号に基づき、ｘ＿ｓ＋Δｘ＿ｓ／２を求める（ステップＳ１２２）。この値は、サブ画面２４の中央ｘ座標である。さらに、入力されたＳＩＺＥおよびＰＯＳに基づき、ｙ＿ｓ＋Δｙ＿ｓ／２を求める（ステップＳ１２２）。この値は、サブ画面２４の中央ｙ座標である。
【０２６５】
ＭＰＵ１１は、求めたｘ＿ｓ＋Δｘ＿ｓ／２に基づき１つのスピーカ切換値ｓｓ１を決定する（ステップＳ１２３）。具体的には、ｘ＿ｓ＋Δｘ＿ｓ／２に関連付けられているスピーカ切換値をスピーカ選択テーブル２６から選択し、ｓｓ１として決定する。本実施形態では、ｓｓ１の値は「９」である。ＭＰＵ１１は、求めたｓｓ１をスピーカ切換器７ａおよび７ｂに出力する（ステップＳ１２４）。
【０２６６】
ＭＰＵ１１は、次にｇ１およびｇ２を決定する。具体的には、ＭＰＵ１１は、図５０に示す、中央ｙ座標と減衰値ｔ＿ｇとの関係に基づきｔ＿ｇを決定する。さらに、図５１に示す中央ｙ座標と減衰値ｂ＿ｇとの関係に基づきｂ＿ｇをそれぞれ決定する。図５０は、サブ画面２４の中央ｙ座標と増幅値ｔ＿ｇとの関係を示す図である。図５１は、サブ画面２４の中央ｙ座標と増幅値ｂ＿ｇとの関係を示す図である。
【０２６７】
図５０のグラフの横軸は中央ｙ座標を示し、一方、縦軸はｔ＿ｇを示す。中央ｙ座標とｔ＿ｇとの関係は例えば単調減少の線形である。また、図５１のグラフの横軸は中央ｙ座標を示し、一方、縦軸はｂ＿ｇを示す。中央ｙ座標とｂ＿ｇとの関係は例えば比例の線形である。ＭＰＵ１１は、図５０の関係に基づき、求めた中央ｙ座標（ｙ＿ｓ＋Δｙ＿ｓ／２）に対応するｔ＿ｇを決定する（ステップＳ１２５）。さらに、図５１の関係に基づき、求めた中央ｙ座標（ｙ＿ｓ＋Δｙ＿ｓ／２）に対応するｂ＿ｇを決定する（ステップＳ１２５）。ＭＰＵ１１は、決定したｔ＿ｇを減衰器３２ａに出力し、一方、決定したｂ＿ｇを増幅器２０ｂに出力する（ステップＳ１２６）。
【０２６８】
スピーカ切換器７ａは、入力されたｓｓ１に基づき、増幅器２０ａから入力されるＭＯＮＯを出力する対象のスピーカを選択する。ｓｓ１の値は「９」なので、スピーカｔ＿ｓ９を選択する。一方、スピーカ切換器７ｂは、入力されたｓｓ１に基づき、増幅器２０ｂから入力されるＭＯＮＯを出力する対象のスピーカを選択する。ｓｓ１の値は「９」なので、スピーカｂ＿ｓ９を選択する。
【０２６９】
（作用効果）
以上の処理によって、テレビジョン装置１ｋは、サブ画面２４ａに映像を表示しつつ、当該映像に対応したモノラル音声をスピーカｔ＿ｓ９およびｂ＿ｓ９を通じて出力する。スピーカｂ＿ｓ９から出力するモノラル音声は、スピーカｔ＿ｓ９から出力するモノラル音声よりも大きい。したがって、出力されたモノラル音声は、スピーカｔ＿ｓ９とｂ＿ｓ９との間のうち、スピーカｂ＿ｓ９の方により近い側に定位する。この位置は、サブ画面２４に相当する。したがってテレビジョン装置１ｋは、モノラル音声をサブ画面２４に左右方向だけでなく上下方向も定位させることができる。結果、視聴者は、サブ画面２４の映像を見るときに、対応するモノラル音声を違和感無く、つまりサブ画面２４の映像に関する音声だと明確に認識しながら、耳にする。
【０２７０】
このように、テレビジョン装置１ｋは、サブ画面２４における左右方向の位置のみならず、上下方向の位置においても、映像に対応したモノラル音声をサブ画面２４に定位させられる。したがって、視聴者が感じる音声の定位感を、よりいっそう向上できる。
【０２７１】
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【０２７２】
（その他の構成）
なお、本発明を、以下の構成としても実現できる。
【０２７３】
（第１構成）
表示部の下側または上側に横方向に配置された３つ以上のスピーカと、
サブ画面の位置およびサイズの少なくともいずれか１つの情報により、出力するスピーカを選択する選択手段とを具備したことを特徴とする表示装置。
【０２７４】
（第２構成）
表示部の下側または上側に横方向に配置された３つ以上のスピーカと、
入力音声チャンネル数により、出力するスピーカを選択する選択手段とを具備したことを特徴とする表示装置。
【０２７５】
（第３構成）
左チャンネルおよび右チャンネルの音声を出力するスピーカの選択として、
サブ画面の左端に接する上下方向の直線に最も近いスピーカと、サブ画面の右端に接する上下方向の直線に最も近いスピーカを選択することを特徴とする上記第１の構成にかかる表示装置。
【０２７６】
（第４構成）
左チャンネルおよび右チャンネルの音声を出力するスピーカの選択として、
サブ画面の左端に接する上下方向の直線に対しサブ画面の外側にスピーカがある場合は外側で最も近いスピーカと、サブ画面の右端に接する上下方向の直線に対しサブ画面の外側にスピーカがある場合は外側で最も近いスピーカを選択することを特徴とする第１の構成にかかる表示装置。
【０２７７】
（第５構成）
左チャンネルおよび右チャンネルの音声を出力するスピーカの選択として、
サブ画面の左端に接する上下方向の直線に対しサブ画面の内側にスピーカがある場合は内側で最も近いスピーカと、サブ画面の右端に接する上下方向の直線に対しサブ画面の内側にスピーカがある場合は内側で最も近いスピーカを選択することを特徴とする第１の構成にかかる表示装置。
【０２７８】
（第６構成）
センターチャンネルもしくはモノラルの音声を出力するスピーカの選択として、
サブ画面の中心に接する上下方向の直線に最も近いスピーカを選択することを特徴とする第１の構成にかかる表示装置。
【０２７９】
（第７構成）
ボリュームが大きくなったときに、近傍のスピーカも新たに出力することを特徴とする第１〜第６のいずれかの構成にかかる表示装置。
【０２８０】
（第８構成）
所望のスピーカ位置に最も近いスピーカと、所望のスピーカ位置に対して、該スピーカ位置の反対側で最も近いスピーカとを選択し、２つのスピーカで１つの音声定位を行うことを特徴とする第１〜第７のいずれかにかかる表示装置。
【０２８１】
（第９構成）
最も近いスピーカのバランスをもう１つのスピーカに対して大きくすることを特徴とする第１〜第８のいずれかにかかる表示装置。
【０２８２】
（第１０構成）
表示部の下側と上側にそれぞれに横方向に配置された３つ以上のスピーカを持つことを特徴とする第１〜第１０構成のいずれかにかかる表示装置。
【０２８３】
（第１１構成）
上下のうち画面に近いほうのスピーカのバランスを大きく、遠いほうのバランスを小さくすることを特徴とする第１０構成にかかる表示装置。
【０２８４】
（プログラムおよび記録媒体）
最後に、テレビジョン装置１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０２８５】
すなわちテレビジョン装置１は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０２８６】
この記録媒体は、上述した機能を実現するソフトウェアであるテレビジョン装置１のプログラムのプログラムコード（実行形式プログラム、中間コードプログラム、ソースプログラム）をコンピュータで読み取り可能に記録していればよい。テレビジョン装置１に、この記録媒体を供給する。これにより、コンピュータとしてのテレビジョン装置１（またはＣＰＵやＭＰＵ）が、供給された記録媒体に記録されているプログラムコードを読み出し、実行すればよい。
【０２８７】
プログラムコードをテレビジョン装置１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２８８】
また、テレビジョン装置１を通信ネットワークと接続可能に構成しても、本発明の目的を達成できる。この場合、上記のプログラムコードを、通信ネットワークを介してテレビジョン装置１に供給する。この通信ネットワークはテレビジョン装置１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０２８９】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０２９０】
本発明は、コンテンツを再生するコンテンツ再生装置として、幅広く利用できる。特に、大画面の表示装置を備え、放送番組を受信して再生する、いわゆるテレビジョン装置としての利用が見込まれる。
【図面の簡単な説明】
【０２９１】
【図１】本発明の一実施形態に係るテレビジョン装置の全体構成を示すブロック図である。
【図２】本発明の実施形態１に係る、テレビジョン装置の要部構成を示すブロック図である。
【図３】本発明の実施形態１に係る、テレビジョン装置が、入力されたモノラル音声をサブ画面に定位させている様子を示す図である。
【図４】本発明の実施形態１に係る、テレビジョン装置が実行するスピーカ選択処理の流れを示すＭＰＵのフローチャートである。
【図５】本発明の実施形態１に係る、テレビジョン装置に記憶されているスピーカ選択テーブルを示す図である。
【図６】本発明の実施形態２に係る、テレビジョン装置の要部構成を示すブロック図である。
【図７】本発明の実施形態２に係る、テレビジョン装置が、入力されたステレオ音声をサブ画面に定位させている様子を示す図である。
【図８】本発明の実施形態２に係る、テレビジョン装置が実行するスピーカ選択処理の流れを示すＭＰＵのフローチャート図である。
【図９】本発明の実施形態３に係る、テレビジョン装置の要部構成を示すブロック図である。
【図１０】本発明の実施形態３に係る、テレビジョン装置が、入力された音声をサブ画面に定位させている様子を示す図である。
【図１１】本発明の実施形態３に係る、テレビジョン装置が、入力されたステレオ音声を合成したモノラル音声をサブ画面に定位させている様子を示す図である。
【図１２】本発明の実施形態３に係る、テレビジョン装置が実行するスピーカ選択処理の流れを示すＭＰＵのフローチャート図である。
【図１３】本発明の実施形態４に係る、テレビジョン装置の要部構成を示すブロック図である。
【図１４】本発明の実施形態４に係る、テレビジョン装置が、入力された音声をサブ画面に定位させている様子を示す図である。
【図１５】本発明の実施形態４に係る、テレビジョン装置が実行するスピーカ選択処理の流れを示すＭＰＵのフローチャート図である。
【図１６】本発明の実施形態５に係る、テレビジョン装置の要部構成を示すブロック図である。
【図１７】本発明の実施形態５に係る、テレビジョン装置が、入力されたステレオ音声およびセンター音声をサブ画面に定位させている様子を示す図である。
【図１８】本発明の実施形態５に係る、テレビジョン装置が、入力されたステレオ音声およびセンター音声を２ｃｈステレオ音声に変換して、サブ画面に定位させている様子を示す図である。
【図１９】本発明の実施形態５に係る、テレビジョン装置が、入力されたステレオ音声およびセンター音声を１ｃｈモノラル音声に変換して、サブ画面に定位させている様子を示す図である。
【図２０】本発明の実施形態５に係る、テレビジョン装置が実行するスピーカ選択処理の流れを示すＭＰＵのフローチャート図である。
【図２１】本発明の実施形態６に係る、テレビジョン装置の要部構成を示すブロック図である。
【図２２】本発明の実施形態６に係る、テレビジョン装置が、入力された音声をサブ画面に定位させている様子を示す図である。
【図２３】本発明の実施形態６に係る、テレビジョン装置が実行するスピーカ選択処理の流れを示すＭＰＵのフローチャート図である。
【図２４】本発明の実施形態７に係る、テレビジョン装置の要部構成を示すブロック図である。
【図２５】本発明の実施形態７に係る、テレビジョン装置が、入力された音声をサブ画面に定位させている様子を示す図である。
【図２６】本発明の実施形態７に係る、テレビジョン装置が実行するスピーカ選択処理の流れを示すＭＰＵのフローチャート図である。
【図２７】本発明の実施形態８に係る、テレビジョン装置の要部構成を示すブロック図である。
【図２８】本発明の実施形態８に係る、テレビジョン装置が、入力された音声をサブ画面に定位させている様子を示す図である。
【図２９】本発明の実施形態８に係る、テレビジョン装置が実行するスピーカ選択処理の流れを示すＭＰＵのフローチャート図である。
【図３０】本発明の実施形態９に係る、テレビジョン装置が、サブ画面の左右端に接する上下方向の直線にそれぞれ最も近い位置のスピーカに、ステレオ音声を出力している様子を示す図である。
【図３１】本発明の実施形態９に係る、テレビジョン装置が用いるスピーカ選択テーブル（図３０に対応するもの）を表す図である。
【図３２】本発明の実施形態９に係る、テレビジョン装置が、サブ画面の左右端に接する上下方向の直線よりも外側にあり、かつ、当該直線にそれぞれ最も近い位置のスピーカを通じて、ステレオ音声を出力している様子を示す図である。
【図３３】本発明の実施形態９に係る、テレビジョン装置が用いるスピーカ選択テーブル（図３２に対応するもの。左ｃｈスピーカ用）を表す図である。
【図３４】本発明の実施形態９に係る、テレビジョン装置が用いるスピーカ選択テーブル（図３２に対応するもの。右ｃｈスピーカ用）を表す図である。
【図３５】本発明の実施形態９に係る、テレビジョン装置が、サブ画面の左右端に接する上下方向の直線よりも内側にあり、かつ、当該直線にそれぞれ最も近い位置のスピーカを通じて、ステレオ音声を出力している様子を示す図である。
【図３６】本発明の実施形態９に係る、テレビジョン装置が用いるスピーカ選択テーブル（図３５に対応するもの。左ｃｈスピーカ用）を表す図である。
【図３７】本発明の実施形態９に係る、テレビジョン装置が用いるスピーカ選択テーブル（図３５に対応するもの。右ｃｈスピーカ用）を表す図である。
【図３８】本発明の実施形態１０に係る、テレビジョン装置の要部構成を示すブロック図である。
【図３９】本発明の実施形態１０に係る、テレビジョン装置が、入力された音声をサブ画面に定位させている様子を示す図である。
【図４０】本発明の実施形態１０に係る、テレビジョン装置が実行するスピーカ選択処理の流れを示すＭＰＵのフローチャート図である。
【図４１】本発明の実施形態１０に係る、ボリューム値と減衰値との関係を示す図である。
【図４２】本発明の実施形態１１に係る、テレビジョン装置の要部構成を示すブロック図である。
【図４３】本発明の実施形態１１に係る、テレビジョン装置が、入力された音声をサブ画面に定位させている様子を示す図である。
【図４４】本発明の実施形態１１に係る、テレビジョン装置が実行するスピーカ選択処理の流れを示すＭＰＵのフローチャート図である。
【図４５】本発明の実施形態１１に係る、テレビジョン装置が用いるスピーカ選択テーブル（図４３に対応するもの）を表す図である。
【図４６】本発明の実施形態１１に係る、所定の参照値と減衰値との関係を示す図である。
【図４７】本発明の実施形態１２に係る、テレビジョン装置の要部構成を示すブロック図である。
【図４８】本発明の実施形態１２に係る、テレビジョン装置が、入力された音声をサブ画面に定位させている様子を示す図である。
【図４９】本発明の実施形態１２に係る、テレビジョン装置が実行するスピーカ選択処理の流れを示すＭＰＵのフローチャート図である。
【図５０】本発明の実施形態１２に係る、サブ画面の中央ｙ座標と減衰値との関係を示す図である。
【図５１】本発明の実施形態１２に係る、サブ画面の中央ｙ座標と減衰値との関係を示す図である。
【符号の説明】
【０２９２】
１    コンテンツ再生装置
２    表示装置
３    映像制御部
４    メモリ
５    音声信号選択部
６    増幅部
７    スピーカ切換器
８    スピーカ群
９    操作部
１０  ＭＰＵ
１１  ＭＰＵ
１２  アナログチューナ
１３  デジタルチューナ
１４  外部入力
１５  外部入力
１６  ＨＤＭＩ
２０  増幅器
【図１】
2010041579.tif 000003
【図２】
2010041579.tif 000004
【図３】
2010041579.tif 000005
【図４】
2010041579.tif 000006
【図５】
2010041579.tif 000007
【図６】
2010041579.tif 000008
【図７】
2010041579.tif 000009
【図８】
2010041579.tif 000010
【図９】
2010041579.tif 000011
【図１０】
2010041579.tif 000012
【図１１】
2010041579.tif 000013
【図１２】
2010041579.tif 000014
【図１３】
2010041579.tif 000015
【図１４】
2010041579.tif 000016
【図１５】
2010041579.tif 000017
【図１６】
2010041579.tif 000018
【図１７】
2010041579.tif 000019
【図１８】
2010041579.tif 000020
【図１９】
2010041579.tif 000021
【図２０】
2010041579.tif 000022
【図２１】
2010041579.tif 000023
【図２２】
2010041579.tif 000024
【図２３】
2010041579.tif 000025
【図２４】
2010041579.tif 000026
【図２５】
2010041579.tif 000027
【図２６】
2010041579.tif 000028
【図２７】
2010041579.tif 000029
【図２８】
2010041579.tif 000030
【図２９】
2010041579.tif 000031
【図３０】
2010041579.tif 000032
【図３１】
2010041579.tif 000033
【図３２】
2010041579.tif 000034
【図３３】
2010041579.tif 000035
【図３４】
2010041579.tif 000036
【図３５】
2010041579.tif 000037
【図３６】
2010041579.tif 000038
【図３７】
2010041579.tif 000039
【図３８】
2010041579.tif 000040
【図３９】
2010041579.tif 000041
【図４０】
2010041579.tif 000042
【図４１】
2010041579.tif 000043
【図４２】
2010041579.tif 000044
【図４３】
2010041579.tif 000045
【図４４】
2010041579.tif 000046
【図４５】
2010041579.tif 000047
【図４６】
2010041579.tif 000048
【図４７】
2010041579.tif 000049
【図４８】
2010041579.tif 000050
【図４９】
2010041579.tif 000051
【図５０】
2010041579.tif 000052
【図５１】
2010041579.tif 000053